(57)【特許請求の範囲】
【請求項１】
乱数抽選により当選役を決定する抽選手段を含む遊技制御装置と、
決定された前記当選役を参照して演出制御を実行する演出制御装置と、を備えた遊技機であって、
前記遊技制御装置は、
決定された当選役に関する情報を含む遊技情報を前記演出制御装置に送信する送信手段を有すると共に、
前記遊技制御装置が制御する操作手段の操作に基づく遊技の進行を停止させるフリーズの実行の有無を、所定の条件に基づいて、フリーズの実行を決定可能なフリーズ決定手段と、前記フリーズ決定手段によるフリーズの実行の決定を禁止する禁止手段とにより制御し、
前記演出制御装置は、所定の演出に関する処理を行う演出実行手段を備え、
前記禁止手段は、決定された前記当選役が特定の当選役であった場合に、前記フリーズの実行の決定を禁止し、
前記演出実行手段は、前記特定の当選役に関する遊技情報の受信に基づいて、前記所定の演出に関する処理を行うことを特徴とする遊技機。
【請求項２】
乱数抽選により当選役を決定する抽選手段を含む遊技制御装置と、
決定された前記当選役を参照して演出制御を実行する演出制御装置と、を備えた遊技機であって、
前記遊技制御装置は、
決定された当選役に関する情報を含む遊技情報を前記演出制御装置に送信する送信手段を有すると共に、
前記遊技制御装置が制御する操作手段の操作に基づく遊技の進行を停止させるフリーズの実行の有無を、所定の第１の条件に基づいて、フリーズの実行を決定可能なフリーズ決定手段と、前記フリーズ決定手段によるフリーズの実行の決定を禁止する禁止手段とにより制御し、
所定の第２の条件に基づいて、一定の期間、特定の遊技制御を実行する特定遊技制御手段と、を備え、
前記演出制御装置は、所定の演出に関する処理を行う演出実行手段を備え、
前記禁止手段は、前記特定遊技制御手段により前記特定の遊技制御を実行している一定期間のうち、少なくとも一部の期間、前記フリーズ決定手段によるフリーズの実行の決定を禁止し、
前記演出実行手段は、前記特定の当選役に関する遊技情報の受信に基づいて、前記所定の演出に関する処理を行うことを特徴とする遊技機。
【請求項３】
複数の回転リール、各回転リールの回転を開始させるためのスタートスイッチ、及び対応する回転リールの回転を停止させるための複数のストップスイッチを備えた遊技機であって、
スタートスイッチ若しくはストップスイッチの操作に基づく遊技の進行を停止させるフリーズを実行可能であり、
所定条件の充足を契機に、フリーズを実行するか否かを抽選で決定するフリーズ抽選を行い、
フリーズ抽選を行う際に、この後に少なくとも１ゲームを実行するまでフリーズ抽選を禁止する禁止期間を設定することがあり、
フリーズ抽選によりフリーズを実行することを決定した場合に、禁止期間を設定したときには、禁止期間の経過後にフリーズを行うことを特徴とする遊技機。
【請求項４】
複数の回転リール、各回転リールの回転を開始させるためのスタートスイッチ、及び対応する回転リールの回転を停止させるための複数のストップスイッチを備えた遊技機であって、
スタートスイッチ若しくはストップスイッチの操作に基づく遊技の進行を停止させるフリーズを実行可能であり、
所定条件の充足を契機に、フリーズを実行するか否かを抽選で決定するフリーズ抽選を行い、
フリーズ抽選を行う際に、この後に少なくとも１ゲームを実行するまでフリーズ抽選を禁止する禁止期間を設定することがあり、
フリーズ抽選によりフリーズを実行することを決定した場合に、禁止期間を設定したときには、禁止期間の経過後にフリーズを行い、
フリーズを行ってから所定回数のゲームを実行するまでの期間（以下「フリーズ後期間」という）において、所定の演出を行うことがあり、
フリーズ後期間中に前記所定の演出を行う場合は、当該期間中にフリーズ抽選を行わないことを特徴とする遊技機。
【請求項５】
乱数抽選により当選役を決定する抽選手段を含む遊技制御装置と、
決定された前記当選役を参照して演出制御を実行する演出制御装置と、を備え、
前記遊技制御装置と前記演出制御装置との間では、前記遊技制御装置から前記演出制御装置への単方向通信のみが可能な遊技機であって、
所定の条件に基づいて、前記遊技制御装置が制御する操作手段の操作に基づく遊技の進行を停止させるフリーズの実行を決定可能なフリーズ決定手段と、
所定のゲーム数の間、前記フリーズ決定手段によるフリーズの実行の決定を禁止する禁止手段と、を備えていることを特徴とする遊技機。
【発明の詳細な説明】
【技術分野】
【０００１】
本発明は、遊技機に関するものである。
【背景技術】
【０００２】
従来、回転リール、メダルセレクター、ホッパー、液晶ディスプレイ、スピーカ、ランプ等を備えたスロットマシンが知られている。スロットマシンには、通常、回転リール、メダルセレクター、ホッパー等を制御する遊技制御装置と、液晶ディスプレイ、スピーカ、ランプ等を制御する演出制御装置とが個別に設けられている。
このようなスロットマシンでは、メダルがベットされると、ゲームが開始可能になる。そして、スタートスイッチの操作を契機に、回転リールが回転を開始するとともに、複数の当選役のいずれに当選かまたはハズレかの抽選を行う。この抽選で当選役に当選すると、ストップスイッチが操作された際に当該当選役の図柄の組み合わせを有効ラインに揃い得るように各回転リールの停止制御を行う。そして、すべての回転リールの回転が停止したときに、当選役の図柄の組み合わせが有効ラインに揃うと、当該当選役の入賞となり、メダルを支払ったり、特別遊技に移行したりする。
【０００３】
また、遊技の興趣を高めるために、液晶ディスプレイ、スピーカ、ランプ等を用いて、複数回のゲームに渡って演出が継続する所謂「連続演出」を行うことがある（特許文献１参照）。この連続演出に物語性を持たせ、特別遊技に係る当選役の当選の有無に応じて物語の結末の異なる連続演出を行うことで、特別遊技に係る当選役の入賞に対する遊技者の期待感を高めることができる。
また、遊技の興趣を高めるために、スタートスイッチの操作から回転リールの回転開始等を通常よりも所定時間遅らせる所謂「フリーズ」を行うことがある（特許文献２参照）。また、フリーズの最中に、液晶ディスプレイ、スピーカ、ランプ等を用いた演出（以下「フリーズ演出」という。）を行うこともできる。そして、主に特別遊技に係る当選役の当選した場合にフリーズを行うことで、特別遊技に係る当選役の入賞に対する遊技者の期待感を高めることができる。
【０００４】
また、さらに遊技の興趣を高めるために、連続演出にフリーズを絡ませることも可能である。
【先行技術文献】
【特許文献】
【０００５】
【特許文献１】特開２００７−２０７０７号公報
【特許文献２】特開２００２−２５３７４１号公報
【発明の概要】
【発明が解決しようとする課題】
【０００６】
ところで、連続演出やフリーズ演出は、液晶ディスプレイ、スピーカ、ランプ等を用いるので、演出制御装置により制御されるが、フリーズは、回転リールの回転開始等に関わることなので、遊技制御装置により制御される。また、遊技制御装置が複数の当選役のいずれに当選かまたはハズレかの抽選を行うので、不正防止の観点から、信号の送信が遊技制御装置から演出制御装置への一方通行になっている。そのため、連続演出の途中にフリーズを開始した場合に、フリーズ演出が割り込んで実行中の演出が途中で打ち切られることがあった。
そこで、本発明は、上述のような問題に鑑みてなされたものであり、その目的とするところは、実行中の演出がフリーズの開始によって途中で打ち切られることを防止することである。
【課題を解決するための手段】
【０００７】
（請求項１）
請求項１に記載の発明は、乱数抽選により当選役を決定する抽選手段（当選抽選手段(130）を含む遊技制御装置(100)と、決定された前記当選役を参照して演出制御を実行する演出制御装置(300)と、を備えた遊技機であって、前記遊技制御装置(100)は、決定された当選役に関する情報を含む遊技情報を前記演出制御装置に送信する送信手段を有すると共に、前記遊技制御装置(100)が制御する操作手段の操作に基づく遊技の進行を停止させるフリーズの実行の有無を、所定の条件に基づいて、フリーズの実行を決定可能なフリーズ決定手段（フリーズ抽選手段200）と、前記フリーズ決定手段(200)によるフリーズの実行の決定を禁止する禁止手段とにより制御し、前記演出制御装置(300)は、所定の演出に関する処理を行う演出実行手段（連続演出実行手段370）を備え、前記禁止手段は、決定された前記当選役が特定の当選役であった場合に、前記フリーズの実行の決定を禁止し、前記演出実行手段(370)は、前記特定の当選役に関する遊技情報の受信に基づいて、前記所定の演出に関する処理を行うことを特徴とする。
（請求項２）
請求項２に記載の発明は、乱数抽選により当選役を決定する抽選手段(130)を含む遊技制御装置(100)と、決定された前記当選役を参照して演出制御を実行する演出制御装置(300)と、を備えた遊技機であって、前記遊技制御装置(100)は、決定された当選役に関する情報を含む遊技情報を前記演出制御装置に送信する送信手段を有すると共に、前記遊技制御装置(100)が制御する操作手段の操作に基づく遊技の進行を停止させるフリーズの実行の有無を、所定の第１の条件に基づいて、フリーズの実行を決定可能なフリーズ決定手段(200)と、前記フリーズ決定手段によるフリーズの実行の決定を禁止する禁止手段とにより制御し、所定の第２の条件に基づいて、一定の期間、特定の遊技制御を実行する特定遊技制御手段と、を備え、前記演出制御装置(300)は、所定の演出に関する処理を行う演出実行手段(370)を備え、前記禁止手段は、前記特定遊技制御手段により前記特定の遊技制御を実行している一定期間のうち、少なくとも一部の期間、前記フリーズ決定手段(200)によるフリーズの実行の決定を禁止し、前記演出実行手段(370)は、前記特定の当選役に関する遊技情報の受信に基づいて、前記所定の演出に関する処理を行うことを特徴とする。
【０００８】
（請求項３）
請求項３に記載の発明は、複数の回転リール(23)、各回転リール(23)の回転を開始させるためのスタートスイッチ(53)、及び対応する回転リール(23)の回転を停止させるための複数のストップスイッチ(54)を備えた遊技機であって、スタートスイッチ(53)若しくはストップスイッチ(54)の操作に基づく遊技の進行を停止させるフリーズを実行可能であり、所定条件の充足を契機に、フリーズを実行するか否かを抽選で決定するフリーズ抽選を行い、フリーズ抽選を行う際に、この後に少なくとも１ゲームを実行するまでフリーズ抽選を禁止する禁止期間を設定することがあり、フリーズ抽選によりフリーズを実行することを決定した場合に、禁止期間を設定したときには、禁止期間の経過後にフリーズを行うことを特徴とする。
（請求項４）
請求項４に記載の発明は、複数の回転リール(23)、各回転リール(23)の回転を開始させるためのスタートスイッチ(53)、及び対応する回転リール(23)の回転を停止させるための複数のストップスイッチ(54)を備えた遊技機であって、スタートスイッチ(53)若しくはストップスイッチ(54)の操作に基づく遊技の進行を停止させるフリーズを実行可能であり、所定条件の充足を契機に、フリーズを実行するか否かを抽選で決定するフリーズ抽選を行い、フリーズ抽選を行う際に、この後に少なくとも１ゲームを実行するまでフリーズ抽選を禁止する禁止期間を設定することがあり、フリーズ抽選によりフリーズを実行することを決定した場合に、禁止期間を設定したときには、禁止期間の経過後にフリーズを行い、フリーズを行ってから所定回数のゲームを実行するまでの期間（以下「フリーズ後期間」という）において、所定の演出を行うことがあり、フリーズ後期間中に前記所定の演出を行う場合は、当該期間中にフリーズ抽選を行わないことを特徴とする。
【発明の効果】
【０００９】
（請求項５）
請求項５に記載の発明は、乱数抽選により当選役を決定する抽選手段(130)を含む遊技制御装置(100)と、決定された前記当選役を参照して演出制御を実行する演出制御装置(300)と、を備え、前記遊技制御装置(100)と前記演出制御装置(300)との間では、前記遊技制御装置(100)から前記演出制御装置(300)への単方向通信のみが可能な遊技機であって、所定の条件に基づいて、前記遊技制御装置(100)が制御する操作手段の操作に基づく遊技の進行を停止させるフリーズの実行を決定可能なフリーズ決定手段(200)と、所定ゲーム数の間、前記フリーズ決定手段(200)によるフリーズの実行の決定を禁止する禁止手段と、を備えていることを特徴とする。
【００１０】
本願発明によれば、実行中の演出がフリーズの開始によって途中で打ち切られることを防止することができる。
【図面の簡単な説明】
【００１１】
【図１】第１の実施の形態に係るスロットマシンを示す斜視図である。
【図２】第１の実施の形態に係るスロットマシンにおいて前扉を取り外した状態を示す斜視図である。
【図３】第１の実施の形態に係るスロットマシンにおける図柄表示窓及び有効ラインを示す正面図である。
【図４】第１の実施の形態に係るスロットマシンにおける各回転リールのリールテープの一部を展開して示す展開図である。
【図５】第１の実施の形態に係るスロットマシンにおける制御装置の入力、制御及び出力の概略を示すブロック図である。
【図６】第１の実施の形態に係るスロットマシンにおける当選役、及び当選役の図柄の組み合わせを説明する説明図である。
【図７】第１の実施の形態に係るスロットマシンにおけるフリーズ抽選テーブルを説明する説明図である。
【図８】第１の実施の形態に係るスロットマシンにおいてフリーズ抽選乱数データが領域Ａに属する場合に用いる演出抽選テーブルを説明する説明図である。
【図９】第１の実施の形態に係るスロットマシンにおいてフリーズ抽選乱数データが領域Ｆに属する場合に用いる演出抽選テーブルを説明する説明図である。
【図１０】第１の実施の形態に係るスロットマシンにおける（Ａ）フリーズ連想演出、（Ｂ）特典連想演出、（Ｃ）フリーズ演出を説明する説明図である。
【図１１】第１の実施の形態に係るスロットマシンにおける遊技の制御の概略を示すフローチャートである。
【図１２】第１の実施の形態に係るスロットマシンにおける回転開始前処理を示すフローチャートである。
【図１３】第１の実施の形態に係るスロットマシンにおけるフリーズ抽選処理を示すフローチャートである。
【図１４】第１の実施の形態に係るスロットマシンにおける停止制御処理を示すフローチャートである。
【図１５】第１の実施の形態に係るスロットマシンにおけるゲーム更新処理を示すフローチャートである。
【図１６】第１の実施の形態に係るスロットマシンにおける連続演出実行処理を示すフローチャートである。
【図１７】第２の実施の形態に係るスロットマシンにおける制御装置の入力、制御及び出力の概略を示すブロック図である。
【図１８】第２の実施の形態に係るスロットマシンにおけるフリーズ抽選テーブルを説明する説明図である。
【図１９】第２の実施の形態に係るスロットマシンにおいて、ＲＡＭの所定領域に「赤セブン当選フラグ」を有する場合に実行する連続演出を説明する説明図である。
【図２０】第２の実施の形態に係るスロットマシンにおいて、ＲＡＭの所定領域に「赤セブン当選フラグ」を有さない場合に実行する連続演出を説明する説明図である。
【図２１】第２の実施の形態に係るスロットマシンにおける（Ａ）フリーズ連想演出、（Ｂ）特典連想演出、（Ｃ）フリーズ演出を説明する説明図である。
【図２２】第２の実施の形態に係るスロットマシンにおける遊技の制御の概略を示すフローチャートである。
【図２３】第２の実施の形態に係るスロットマシンにおける回転開始前処理を示すフローチャートである。
【図２４】第２の実施の形態に係るスロットマシンにおける連続演出制御処理を示すフローチャートである。
【発明を実施するための形態】
【００１２】
本発明を実施するための形態を３例挙げて、図面を参照しつつ順次説明する。
（第１の実施の形態）
（スロットマシンS）
本実施の形態に係るスロットマシンSは、遊技媒体としてメダルを用いて遊技が行われる。ここで、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
【００１３】
スロットマシンSは、図１及び図２に示すように、正面側に開口する正面開口部11を有する箱形の筐体1を備えている。筐体1の内部には、高さ方向略中央で水平となるように中板12が設けられている。また、筐体1の正面には、筐体1の正面開口部11を開閉可能に閉塞する前扉3が設けられている。前扉3は、正面開口部11の上部を開閉可能に閉塞する上扉30と、正面開口部11の下部を開閉可能に閉塞する下扉40とを備えている。
また、筐体1の底板には、各部品に電力を供給するための電源装置を内蔵した電源ユニット4と、メダルを貯留するとともに、その貯留したメダルを受け皿43へ払い出すためのホッパー5とが設置されている。ホッパー5は、特に図示しないが、複数のメダルを貯留することが可能なメダルタンクと、メダルタンクに貯留されているメダルを１枚ずつ排出するための払出装置6と、払出装置6により排出されたメダルを検出するための払出センサー7とを備えている。また、払出装置6により排出されたメダルは、メダル排出部44を通って受け皿43に払い出されるようになっている。
【００１４】
また、筐体１の内部には、３個の回転リール23を有するリールユニット22と、スロットマシンSの遊技を制御するための遊技制御装置100とが設けられている。
リールユニット22は、３個の回転リール23（左側に位置する「左回転リール23L」、中央に位置する「中央回転リール23M」、右側に位置する「右回転リール23R」）と、それぞれの駆動軸に固定された回転リール23を回転駆動するための３個のステッピングモータ26とを備えている。また、各回転リール23は、合成樹脂からなる回転ドラムと、回転ドラムの周囲に貼付されるテープ状のリールテープ28とを備えている。このリールテープ28の外周面には、図４に示すように、「７（赤色）」、「７（白色）」、「ベル」、「スイカ」、「チェリー」、「ＲＥＰ」及び「花」の図柄が配置されている。また、各回転リール23の回転ドラムには、突起状のインデックスが設けられるとともに、リールユニット22の所定位置には、インデックスを検出するためのインデックスセンサー27が設けられている。
【００１５】
上扉30の略中央部には、各回転リール23の図柄を正面側から視認可能にするための図柄表示窓31が設けられている。また、図３に示すように、図柄表示窓31には、水平に伸びる中段の有効ライン37（第一有効ライン37A）、水平に伸びる上段の有効ライン37（第二有効ライン37B）、水平に伸びる下段の有効ライン37（第三有効ライン37C）、図柄表示窓31の対角線に伸びる右下がりの有効ライン37（第四有効ライン37D）、図柄表示窓31の対角線に伸びる右上がりの有効ライン37（第五有効ライン37E）の５本が形成されている。ここで、各有効ライン37に図柄を適正に表示する時の回転リール23の停止位置を、「停止基準位置」という。各回転リール23には、図柄が２１個ずつ付されていることから、停止基準位置も２１ずつ存在する。
【００１６】
また、図柄表示窓31の上方には、図１に示すように、画像表示装置34（例えば、液晶ディスプレイやＣＲＴ等）が設けられている。また、上扉30における画像表示装置34の周りには、ランプ33が設けられている。また、図柄表示窓31の下方には、クレジットされたメダルの枚数や遊技の設定値を表示するための数値表示部32（例えば、７セグメント表示器等）が設けられている。ここで、クレジットとは、メダル投入口42から投入され、メダルセレクター46により正規なメダルとしてホッパー5へ移送されるメダル、または所定の入賞により払い出されるメダルを、スロットマシンS内部に電子的に貯留することである。
また、上扉30の裏面には、図２に示すように、スロットマシンSの演出を制御するための演出制御装置300と、種々のサウンドを出力するためのスピーカ35とが設けられている。
【００１７】
下扉40の上部には、図１に示すように、スロットマシンSを操作するための操作部50が設けられている。操作部50には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるための３個のストップスイッチ54（左回転リール23Lに対応する「左ストップスイッチ54L」、中央回転リール23Mに対応する「中央ストップスイッチ54M」、右回転リール23Rに対応する「右ストップスイッチ54R」）が設けられている。
また、下扉40には、メダルを１枚ずつ投入するためのメダル投入口42と、スロットマシンS内部よりメダルを排出するためのメダル払い出し口41と、メダル払い出し口41から排出されたメダルを溜めておくための受け皿43とが設けられている。
【００１８】
また、下扉40の裏面には、図２に示すように、メダル投入口42から投入されたメダルを誘導しながら真贋で選別するためのメダルセレクター46と、メダルセレクター46の下方に開口し、メダル払い出し口41に連通するメダル排出部44と、種々のサウンドを出力するためのスピーカ45とが設けられている。メダルセレクター46は、メダル投入口42から投入されたメダルをホッパー5へ誘導するためのメダル通路と、メダル通路の下流まで流下したメダルを検出するための投入センサー47と、メダル通路を流下するメダルを投入センサー47に検出される前にメダル排出部44へ排除するためのブロッカー装置48とを備えている。ブロッカー装置48は、１ゲームが進行している最中や、クレジットされているメダルが上限の５０枚に達しているときに、メダル通路を流下するメダルをメダル排出部44へ排除するようになっている。
【００１９】
なお、画像表示装置34に所定の画像を表示させたり、スピーカ35,45から所定の音声を出力させたり、ランプ33を所定のパターンで点滅させたり等することにより、遊技を演出する演出装置として機能させることができる。
（制御装置10）
制御装置10は、スロットマシンSを制御するためのものである。
本実施の形態では、制御装置10は、主にスロットマシンSの遊技を制御する遊技制御装置100と、遊技制御装置100からの信号を受信して、主にスロットマシンSの演出を制御する演出制御装置300とを備えている。また、遊技制御装置100及び演出制御装置300は、ＣＰＵを中心に構成され、ＲＯＭ、ＲＡＭ、Ｉ／Ｏ、乱数発生器等を備えている。
【００２０】
また、図５に示すように、遊技制御装置100の入力段には、ベットスイッチ51、精算スイッチ52、スタートスイッチ53、ストップスイッチ54、インデックスセンサー27、払出センサー7、及び投入センサー47などのパーツが接続され、遊技制御装置100の出力段には、ステッピングモータ26、払出装置6、ブロッカー装置48、及び数値表示部32などのパーツが接続されている。
また、遊技制御装置100は、ＣＰＵがＲＯＭに記憶されたプログラムを実行することにより、通常遊技制御手段110、特別遊技制御手段120、当選抽選手段130、回転制御手段140、回転位置判断手段150、停止制御手段160、入賞判定手段170、ベット数記憶手段180、支払制御手段190、フリーズ抽選手段200、フリーズ実行手段210、ゲーム更新手段220などとして機能する（図５参照）。
【００２１】
また、図５に示すように、演出制御装置300の出力段には、ランプ33、画像表示装置34、及びスピーカ35,45などのパーツが接続されている。
また、演出制御装置300は、ＣＰＵがＲＯＭに記憶されたプログラムを実行することにより、画像データ記憶手段310、画像表示制御手段320、音声データ記憶手段330、音声出力制御手段340、ランプ点滅制御手段350、連続演出抽選手段360、連続演出実行手段370などとして機能する（図５参照）。
次に、遊技制御装置100が備える各手段について説明する。
（ベット数記憶手段180）
ベット数記憶手段180は、ベットされたメダルの枚数（以下「ベット数」という）を記憶するためのものである。具体的には、ベット数記憶手段180は、メダル投入口42からメダルが投入されて、投入センサー47がメダルを検出すると、ベット数に「１」を加算する更新を行う。また、ベット数記憶手段180のベット数には、上限が設定されている。本実施の形態では、ベット数記憶手段180のベット数の上限は「３」に設定されている。
【００２２】
また、ベット数記憶手段180のベット数が「３」まで加算されると、すべての有効ライン37が有効化される。
（通常遊技制御手段110）
通常遊技制御手段110は、通常遊技を行わせるためのものである。
ここで、本実施の形態における通常遊技について説明する。
ベット数記憶手段180の記憶するベット数が「３」である場合に、スタートスイッチ53が操作されると、リールユニット22の各ステッピングモータ26の駆動により各回転リール23が回転を開始する。
【００２３】
その後、ストップスイッチ54が操作されると、対応する回転リール23がいずれかの停止基準位置に停止する。そして、すべての回転リール23が停止基準位置に停止したときに、当選役の図柄の組み合わせが有効ライン37に揃うと、当該当選役の入賞となって遊技者に所定の利益が付与される。
ここで、当選役、及び当選役の図柄の組み合わせを、図６を参照しつつ説明する。本実施の形態では、当選役には、入賞により特別遊技（ビッグボーナス）に移行する「赤セブン当選役」と、入賞により特別遊技（レギュラーボーナス）に移行する「白セブン当選役」と、入賞によりメダルを新たにベットすることなく再度１ゲームを行うことが可能な再遊技となる「リプレイ当選役」と、入賞により有効ライン１本につきメダル１０枚が支払われる「ベル当選役」と、入賞により有効ライン１本につきメダル１０枚が支払われる「スイカ当選役」と、入賞により有効ライン１本につきメダル２枚が支払われる「チェリー当選役」と、がある。
【００２４】
（特別遊技制御手段120）
特別遊技制御手段120は、当選抽選手段130の抽選結果に基づいて、遊技者に有利な特別遊技を行わせるためのものである。本実施の形態では、特別遊技として、ビッグボーナス（以下「ＢＢ」という。）と、レギュラーボーナス（以下「ＲＢ」という。）とを実行可能である。
具体的には、通常遊技において「７（赤色）」の図柄が有効ライン37に３個揃うと、ＢＢに移行される。そして、ＢＢ中に３２０枚を超えるメダルの支払いが行われると、ＢＢを終了して通常遊技に移行する。
【００２５】
また、通常遊技において「７（白色）」の図柄が有効ライン37に３個揃うと、ＲＢに移行される。そして、ＲＢ中に当選役に８回入賞する、またはＲＢ中に１２ゲーム行うと、ＲＢを終了して通常遊技に移行する。
なお、特別遊技中に当選し得る当選役は、「ベル当選役」、「スイカ当選役」及び「チェリー当選役」である。また、特別遊技中は、これらの当選役に当選する確率が通常遊技中よりも高くなるように設定されている。
（当選抽選手段130）
当選抽選手段130は、複数の当選役のいずれに当選かまたはハズレかの抽選を行うためのものである。
【００２６】
本実施の形態では、当選抽選手段130の抽選結果には、「赤セブン当選役」の当選となる「赤セブン当選」と、「白セブン当選役」の当選となる「白セブン当選」と、「リプレイ当選役」の当選となる「リプレイ当選」と、「ベル当選役」の当選となる「ベル当選」と、「スイカ当選役」の当選となる「スイカ当選」と、「チェリー当選役」の当選となる「チェリー当選」と、いずれの当選役にも入賞不可能となる「ハズレ」とがある。
また、当選抽選手段130の抽選により、互いに異なる複数の当選役に重複して当選すること（以下「重複当選」という。）がある。具体的には、当選抽選手段130の抽選結果に、「赤セブン当選役」及び「スイカ当選役」の重複当選となる「赤７・スイカ重複当選」がある。
【００２７】
また、遊技制御装置100のＲＯＭには、乱数発生器の発生させる各乱数について、いずれの当選役に当選かまたはハズレかを割り振ったテーブルが格納されている。本実施の形態では、通常遊技用の当選判定テーブル、ボーナス当選フラグ保有時の通常遊技用の当選判定テーブル、ＢＢ用の当選判定テーブル、ＲＢ用の当選判定テーブル等がＲＯＭに格納されている。これらの当選判定テーブルには、上述した抽選結果のいずれかに対応する領域が割り振られている。
当選抽選手段130は、スタートスイッチ54の操作を契機に、乱数発生器の発生する乱数から１つの数値を抽出し、抽出乱数データとする。そして、抽出した抽出乱数データを、遊技状態などに応じて選択した当選判定テーブルにおける当選役の当選領域と対比して、抽出乱数データがいずれかの当選領域に属する場合には当該当選領域に対応する当選を決定し、当該抽出乱数データがいずれの当選領域にも属さない場合には、「ハズレ」の決定をする。
【００２８】
なお、この抽選で当選すると、当該当選に対応した当選フラグが遊技制御装置100のＲＡＭの所定領域に設定される。「当選フラグ」は、当選役の当選について関連づけされた変数であり、制御装置10に当選抽選手段130の抽選結果を記憶させるためのものである。本実施の形態には、上述した各当選役に対応する当選フラグ（例えば、「赤セブン当選役」に対応する「赤セブン当選フラグ」など）がある。また、これらの当選フラグは、「小役当選フラグ」と「ボーナス当選フラグ」とに分類される。
「ボーナス当選フラグ」は、遊技制御装置100のＲＡＭの所定領域に設定された場合に、当該当選フラグに係る当選役の図柄の組み合わせが有効ライン37に表示されないときに、消去されずに次のゲームに持ち越される当選フラグを意味する。本実施の形態では、「赤セブン当選役」に対応した「赤セブン当選フラグ」、及び「白セブン当選役」に対応した「白セブン当選フラグ」が、ボーナス当選フラグである。
【００２９】
「小役当選フラグ」は、遊技制御装置100のＲＡＭの所定領域に設定された場合に、当該当選フラグに係る当選役の図柄の組み合わせが有効ライン37に表示されないときに、次のゲームが開始される前に消去される当選フラグを意味する。本実施の形態では、「赤セブン当選フラグ」及び「白セブン当選フラグ」を除いた他の当選フラグが、小役当選フラグである。
そして、抽選で当選すると、当該当選に対応した当選フラグが遊技制御装置100のＲＡＭの所定領域に設定される。例えば、「赤セブン当選」となった場合には、ＲＡＭの所定領域に「赤セブン当選フラグ」が設定され、「スイカ当選」となった場合には、ＲＡＭの所定領域に「スイカ当選フラグ」が設定される。また、例えば、「赤７・スイカ重複当選」となった場合には、ＲＡＭの所定領域に「赤セブン当選フラグ」及び「スイカ当選フラグ」が設定される。
【００３０】
（回転制御手段140）
回転制御手段140は、スタートスイッチ53の操作を契機に各回転リール23の回転を開始させるとともに、各回転リール23を一定の回転速度で回転させるためのものである。
具体的には、回転制御手段140は、ベット数記憶手段180の記憶するベット数が「３」である場合において、スタートスイッチ53の操作を契機に、各ステッピングモータ26の回転駆動を開始させて、各回転リール23の回転を開始させる。また、各回転リール23の回転が一定の回転速度に達するまで加速するように、各ステッピングモータ26の回転駆動を制御する。そして、各回転リール23の回転が一定の回転速度まで加速すると、各回転リール23が一定の回転速度を保って定常回転するように、各ステッピングモータ26の回転駆動を制御するようになっている。
【００３１】
なお、各回転リール23の回転を開始する際に、各回転リール23の回転の開始を示す「回転開始信号」が遊技制御装置100から演出制御装置300へ送信されるようになっている。
（回転位置判断手段150）
回転位置判断手段150は、各回転リール23の回転位置を特定するためのものである。
具体的には、各回転リール23が一定の回転速度まで回転を加速して定常回転になったことを契機に、各インデックスセンサー27によるインデックスの検出を開始する。そして、インデックスセンサー27がインデックスを検出したことを契機に、ステッピングモータ26のパルス数をカウントするとともに、このパルス数に基づいて対応する回転リール23の回転位置を特定する。なお、カウントしたパルス数は、インデックスを検出する度にリセットされ、あらたにパルス数がカウントされる。
【００３２】
また、各回転リール23に２１個ずつ付された図柄には、インデックスセンサー27がインデックスを検出した時の回転位置を基準にした図柄番号が割り振られている。具体的には、インデックスセンサー27がインデックスを検出したときに第一有効ライン37A上にある図柄から、順次「００」〜「２０」の図柄番号が割り振られている。また、それぞれの図柄番号に対応する図柄の種類を各回転リール23毎に記憶している。そして、回転リール23の回転位置、すなわちパルス数に基づいて、第一有効ライン37A上にある図柄の図柄番号を特定し、この図柄番号に基づいて図柄の種類を特定するようになっている。
（停止制御手段160）
停止制御手段160は、ストップスイッチ54の操作を契機に、対応する回転リール23の回転位置及び当選抽選手段130の抽選結果に基づいて、当該回転リール23の停止制御を行うためのものである。
【００３３】
ここで、ストップスイッチ54が操作されてから、対応する回転リール23がいずれかの停止基準位置に停止するまでの間に、図柄表示窓31を通過する停止基準位置の数を「滑りコマ数」という。例えば、滑りコマ数「０」は、操作されたストップスイッチ54に対応する回転リール23を、当該操作から１番目に図柄表示窓31に表示される停止基準位置に停止させることを意味する。また、滑りコマ数「１」は、操作されたストップスイッチ54に対応する回転リール23を、当該操作から１番目に図柄表示窓31に表示される停止基準位置を通過させて、２番目に図柄表示窓31に表示される停止基準位置に停止させることを意味する。本実施の形態では、停止制御手段160は、当選抽選手段130の抽選結果に基づいて、滑りコマ数「０」ないし「４」の範囲で回転リール23を停止基準位置に停止させるようになっている。
【００３４】
具体的には、遊技制御装置100のＲＯＭには、ストップスイッチ54の操作時における回転リール23の回転位置に基づき、対応する回転リール23が停止基準位置に停止するまでの滑りコマ数を、回転リール23毎に規定した停止テーブルが格納されている。
本実施の形態では、当選フラグに対応した停止テーブル（例えば、「赤セブン当選フラグ」に対応する「赤セブン停止テーブル」など）が、遊技制御装置100のＲＯＭに記憶されている。これらの停止テーブルは、当選フラグに係る当選役が入賞し得るように且つその他の当選役が入賞しないように、各回転リール23の滑りコマ数が規定されている。
また、遊技制御装置100のＲＯＭには、「ボーナス当選フラグ」及び「小役当選フラグ」を同時にＲＡＭの所定領域に有する場合に用いる停止テーブル（例えば、「赤セブン当選フラグ」及び「スイカ当選フラグ」を同時にＲＡＭの所定領域に有する場合に用いる「赤７・スイカ停止テーブル」など）が格納されている。これらの停止テーブルは、「ボーナス当選フラグ」に係る当選役が「小役当選フラグ」に係る当選役よりも優先的に入賞し得るように、且つその他の当選役が入賞しないように、各回転リール23の滑りコマ数が規定されている。
【００３５】
また、遊技制御装置100のＲＯＭには、いずれの当選フラグにも対応しない「ハズレ停止テーブル」が格納されている。「ハズレ停止テーブル」は、いずれの当選役の図柄の組み合わせも有効ライン37に揃わないように、各回転リール23の滑りコマ数が規定されている。
停止制御手段160は、すべてのインデックスセンサー27がインデックスを検出したことを契機に、遊技制御装置100のＲＡＭの当選フラグに応じた停止テーブルを選択する。このとき、遊技制御装置100のＲＡＭにいずれの当選フラグも有さない場合には、ハズレ停止テーブルを選択する。そして、各ストップスイッチ54の操作の受付を開始する。これにより、各ストップスイッチ54の操作が有効となる。
【００３６】
また、ストップスイッチ54の操作を契機に、選択した停止テーブルを参照して、ストップスイッチ54の操作時の回転位置に基づき滑りコマ数を取得する。そして、取得した滑りコマ数分の停止基準位置が図柄表示窓31を通過した後に、最初に表示される停止基準位置に当該回転リール23が停止するように、ステッピングモータ26の回転駆動を制御する。
（入賞判定手段170）
入賞判定手段170は、すべての回転リール23の回転が停止したことを契機に、複数の当選役のいずれに入賞か又は入賞なしかの判定を行うものである。
具体的には、入賞判定手段170は、例えば、すべての回転リール23が停止基準位置に停止した場合に、「７（赤色）」の図柄が有効ライン37に３個揃っているときには、「赤セブン当選役の入賞」と判定する。
【００３７】
また、入賞判定手段170は、例えば、すべての回転リール23が停止基準位置に停止した場合に、どの当選役に係る図柄の組み合わせも有効ライン37に揃っていないときには、「入賞なし」と判定する。
（支払制御手段190）
支払制御手段190は、入賞の特典としてメダルを支払う当選役について入賞判定手段170が入賞と判定したことを契機に、メダルを支払う制御を行うものである。メダルの支払いは、当選役に係る図柄の組み合わせの揃った有効ライン37毎に行われる。
なお、「メダルを支払う制御」は、「ホッパー5にメダルを払い出させる制御」を行ってもよいし、「クレジット数を増加させる制御」を行ってもよい。本実施の形態では、支払制御手段190は、クレジット数が上限の「５０」に達する前は、クレジット数を増加させる制御を行う。また、支払制御手段190は、クレジット数が上限の「５０」に達した後は、ホッパー5にメダルを払い出させる制御を行う。
【００３８】
（フリーズ抽選手段200）
フリーズ抽選手段200は、所定条件の充足を契機に、フリーズを実行するか否かを抽選で決定するフリーズ抽選を行うものである。
ここで、本実施の形態において、各回転リール23の回転の開始を通常よりも所定時間遅らせることを、以下「フリーズ」と呼ぶ。
本実施の形態では、フリーズ抽選手段200は、通常遊技中に当選抽選手段130の抽選で「スイカ当選役」に当選したこと、換言すると、通常遊技中に遊技制御装置100のＲＡＭの所定領域に「スイカ当選フラグ」が設定されたことを契機に、フリーズ抽選を行う。また、フリーズ抽選を行う際に、この後に少なくとも１ゲームを実行するまでフリーズ抽選を禁止する「禁止期間」を設定することがある。
【００３９】
また、遊技制御装置100のＲＯＭには、乱数発生器の発生させる各乱数について、フリーズを実行するか否か、及び禁止期間中に実行するゲームの回数について割り振ったテーブルが格納されている。本実施の形態では、図７に示すように、赤セブン当選フラグ保有時のフリーズ抽選テーブル、赤セブン当選フラグ非保有時のフリーズ抽選テーブルがＲＯＭに格納されている。赤セブン当選フラグ保有時のフリーズ抽選テーブルには、フリーズを実行することを決定する領域（領域Ａ〜Ｄ）と、フリーズを実行しないことを決定する領域（領域Ｅ〜Ｈ）とが割り振られている。これに対し、赤セブン当選フラグ非保有時のフリーズ抽選テーブルには、フリーズを実行しないことを決定する領域（領域Ｅ〜Ｈ）のみ割り振られており、フリーズを実行することを決定する領域が割り振られていない。また、領域Ａ及びＥは、３ゲームを実行するまでフリーズ抽選を禁止する禁止期間を設定することを決定する領域となっており、領域Ｂ及びＦは、２ゲームを実行するまでフリーズ抽選を禁止する禁止期間を設定することを決定する領域となっており、領域Ｃ及びＧは、１ゲームを実行するまでフリーズ抽選を禁止する禁止期間を設定することを決定する領域となっており、領域Ｄ及びＨは、禁止期間を設定しないことを決定する領域となっている。
【００４０】
フリーズ抽選手段200は、通常遊技中に遊技制御装置100のＲＡＭの所定領域に「スイカ当選フラグ」が設定されたことを契機に、乱数発生器の発生する乱数から１つの数値を抽出し、フリーズ抽選乱数データとする。そして、赤セブン当選フラグの有無に応じて選択したフリーズ抽選テーブルを参照して、当該フリーズ抽選乱数データの属する領域に応じてフリーズを実行するか否かを決定する。ここで、フリーズ抽選乱数データが領域ＡまたはＥに属する場合には、３ゲームを実行するまでフリーズ抽選を禁止する旨の「禁止期間３フラグ」が、ＲＡＭの所定領域に設定される。また、フリーズ抽選乱数データが領域ＢまたはＦに属する場合には、２ゲームを実行するまでフリーズ抽選を禁止する旨の「禁止期間２フラグ」が、ＲＡＭの所定領域に設定される。また、フリーズ抽選乱数データが領域ＣまたはＧに属する場合には、１ゲームを実行するまでフリーズ抽選を禁止する旨の「禁止期間１フラグ」が、ＲＡＭの所定領域に設定される。また、フリーズ抽選乱数データが領域Ｄに属する場合には、フリーズの実行を指示する旨の「フリーズ命令フラグ」が、ＲＡＭの所定領域に設定される。ここで、フリーズを行ってから所定回数のゲームを実行するまでの期間を、以下「フリーズ後期間」という。フリーズ抽選乱数データが領域ＡないしＤのいずれかに属する場合には、フリーズを行ってから３ゲームを実行するまでをフリーズ後期間とする旨の「フリーズ後期間３フラグ」が、ＲＡＭの所定領域に設定される。
【００４１】
そして、フリーズ抽選手段200によりフリーズ抽選が行われると、抽選結果を示すフリーズ抽選結果信号が遊技制御装置100から演出制御装置300へ送信されるようになっている。
なお、フリーズ抽選手段200は、通常遊技中にＲＡＭの所定領域に「スイカ当選フラグ」が設定された場合に、ＲＡＭの所定領域に「禁止期間３フラグ」、「禁止期間２フラグ」または「禁止期間１フラグ」を有するときには、フリーズ抽選を行わない。また、フリーズ抽選手段200は、通常遊技中にＲＡＭの所定領域に「スイカ当選フラグ」が設定された場合に、ＲＡＭの所定領域に「フリーズ後期間３フラグ」、後述の「フリーズ後期間２フラグ」、または後述の「フリーズ後期間１フラグ」を有するときには、フリーズ抽選を行わない。
【００４２】
（フリーズ実行手段210）
フリーズ実行手段210は、フリーズ抽選によりフリーズを実行することを決定した場合に、フリーズを実行するものである。
本実施の形態では、フリーズ実行手段210は、スタートスイッチ53が操作された場合に、遊技制御装置100のＲＡＭの所定領域に「フリーズ命令フラグ」を有するときに、フリーズを実行するようになっている。
具体的には、スタートスイッチ53が操作された場合に、遊技制御装置100のＲＡＭの所定領域に「フリーズ命令フラグ」を有するときに、回転制御手段140に各回転リール23の回転を開始させず、第１タイマーを２０秒にセットしてカウントダウンを開始させる。そして、第１タイマーが０秒になると、回転制御手段140に各回転リール23の回転を開始させるようになっている。
【００４３】
なお、第１タイマーが計時を開始すると、フリーズの開始を示す「フリーズ開始信号」が遊技制御装置100から演出制御装置300へ送信されるとともに、「フリーズ命令フラグ」が消去されるようになっている。また、第１タイマーが０秒になると、各回転リール23の回転の開始を示す「回転開始信号」が遊技制御装置100から演出制御装置300へ送信されるようになっている。
（ゲーム更新手段220）
ゲーム更新手段220は、次のゲームに持ち越す必要のないＲＡＭのデータをクリアするものである。具体的には、ゲーム更新手段220が遊技制御装置100のＲＡＭの所定領域をクリアすることにより、小役当選フラグの消去、入賞済みのボーナス当選フラグの消去、ベット数記憶手段180のベット数のクリア等がなされる。
【００４４】
また、本実施の形態では、ゲーム更新手段220は、遊技制御装置100のＲＡＭの所定領域に「禁止期間３フラグ」を有する場合には、これを「禁止期間２フラグ」に書き換える。また、遊技制御装置100のＲＡＭの所定領域に「禁止期間２フラグ」を有する場合には、これを「禁止期間１フラグ」に書き換える。また、遊技制御装置100のＲＡＭの所定領域に「禁止期間１フラグ」を有する場合に、「フリーズ後期間３フラグ」を有するときには、「禁止期間１フラグ」を「フリーズ命令フラグ」に書き換えるが、「フリーズ後期間３フラグ」を有さないときには、「禁止期間１フラグ」を消去する。
また、ゲーム更新手段220は、遊技制御装置100のＲＡＭの所定領域に「禁止期間１フラグ」ないし「禁止期間３フラグ」のいずれも有さない場合に、「フリーズ後期間３フラグ」を有するときには、これを「フリーズ後期間２フラグ」に書き換える。「フリーズ後期間２フラグ」は、フリーズ後期間が残り２ゲームであること、つまりフリーズを行ってから１ゲームを実行したことを示している。また、遊技制御装置100のＲＡＭの所定領域に「禁止期間１フラグ」ないし「禁止期間３フラグ」のいずれも有さない場合に、「フリーズ後期間２フラグ」を有するときには、これを「フリーズ後期間１フラグ」に書き換える。「フリーズ後期間１フラグ」は、フリーズ後期間が残り１ゲームであること、つまりフリーズを行ってから２ゲームを実行したことを示している。また、遊技制御装置100のＲＡＭの所定領域に「禁止期間１フラグ」ないし「禁止期間３フラグ」のいずれも有さない場合に、「フリーズ後期間１フラグ」を有するときには、「フリーズ後期間１フラグ」を消去する。これにより、フリーズ後期間が終了することとなる。
【００４５】
次に、演出制御装置300が備える各手段について説明する。
（連続演出抽選手段360）
本実施の形態では、フリーズ抽選によりフリーズを実行することを決定した場合に、禁止期間を設定したときには、禁止期間中にフリーズの実行を遊技者に連想させるフリーズ連想演出を行う。また、フリーズを行ってから所定回数のゲームを実行するまでの期間（フリーズ後期間）において、特典の付与を遊技者に連想させる特典連想演出を行う。また、フリーズの最中には、特典連想演出の開始を暗示するフリーズ演出を行う。なお、本実施の形態における「特典の付与」は、「赤セブン当選フラグ」が設定されて「赤セブン当選役」の入賞が可能になったこと、つまり「ＢＢ」への移行が可能になったことである。
【００４６】
また、本実施の形態では、図１０に示すように、１８種類のフリーズ連想演出と、９種類の特典連想演出と、３種類のフリーズ演出が設けられている。これらは物語性のある演出であり、このうち、幸福な結末の物語の演出を「ハッピーエンド」、不幸な結末の物語の演出を「バッドエンド」と区別する。「ハッピーエンド」の演出は、遊技者に「特典の付与」を期待させるためのものであり、「バットエンド」の演出は、遊技者に「特典の付与」を期待させないためのものである。
ここで、複数回のゲームに渡り継続する演出を、以下「連続演出」という。連続演出抽選手段360は、フリーズ抽選手段200によるフリーズ抽選の抽選結果に基づいて、いずれの連続演出を実行するかを抽選で決定する。
【００４７】
また、演出制御装置300のＲＯＭには、乱数発生器の発生させる各乱数について、いずれの連続演出を実行するかについて割り振ったテーブルが格納されている。本実施の形態では、フリーズ抽選乱数データの属する領域が領域Ａである場合に用いる演出抽選テーブル（図８参照）、領域Ｂである場合に用いる演出抽選テーブル、領域Ｃである場合に用いる演出抽選テーブル、領域Ｄである場合に用いる演出抽選テーブル、領域Ｅである場合に用いる演出抽選テーブル、領域Ｆである場合に用いる演出抽選テーブル（図９参照）、及び、領域Ｇである場合に用いる演出抽選テーブルがＲＯＭに格納されている。なお、複数回のゲームに渡りフリーズ連想演出を行う場合に、前後のフリーズ連想演出の物語が関連するように、連続演出における各フリーズ連想演出が組み合わされている。また、複数回のゲームに渡り特典連想演出を行う場合に、前後の特典連想演出の物語が関連するように、連続演出における各特典連想演出が組み合わされている。
【００４８】
連続演出抽選手段360は、遊技制御装置100からフリーズ抽選結果信号を受信したことを契機に、乱数発生器の発生する乱数から１つの数値が抽出し、演出抽選乱数データとする。そして、フリーズ抽選の抽選結果に応じて選択した演出抽選テーブルを参照して、当該演出抽選乱数データの属する領域に応じた連続演出を実行することを決定する。
（連続演出実行手段370）
連続演出実行手段370は、連続演出抽選手段360の決定した連続演出を実行するためのものである。
本実施の形態では、連続演出実行手段370は、遊技制御装置100からの信号の受信を契機に、画像表示制御手段320及び音声出力制御手段340にフリーズ連想演出、特典連想演出またはフリーズ演出の実行を指示する。
【００４９】
ここで、フリーズ抽選の抽選結果が領域Ａの場合に、連続演出抽選手段360が領域Ａ１の連続演出を選択したときについて説明する。先ず、遊技制御装置100から「回転開始信号」を受信すると、フリーズ連想演出「ＦＡ−Ｈ１−Ａ」の実行を指示する。再び「回転開始信号」を受信すると、フリーズ連想演出「ＦＡ−Ｈ２−Ａ」の実行を指示する。さらに「回転開始信号」を受信すると、フリーズ連想演出「ＦＡ−Ｈ３−Ａ」の実行を指示する。そして、遊技制御装置100から「フリーズ開始信号」を受信すると、フリーズ演出「Ｂ−Ａ」の実行を指示する。続いて、遊技制御装置100から「回転開始信号」を受信すると、特典連想演出「ＢＡ−１−Ａ」の実行を指示する。再び「回転開始信号」を受信すると、特典連想演出「ＢＡ−２−Ａ」の実行を指示する。さらに「回転開始信号」を受信すると、特典連想演出「ＢＡ−３−Ａ」の実行を指示する。そして、「回転開始信号」を受信すると、特典連想演出「ＢＡ−３−Ａ」の終了、つまり連続演出の終了を指示する。
【００５０】
次に、フリーズ抽選の抽選結果が領域Ｆの場合に、連続演出抽選手段360が領域Ｆ４の連続演出を選択したときについて説明する。先ず、遊技制御装置100から「回転開始信号」を受信すると、フリーズ連想演出「ＦＡ−Ｈ１−Ａ」の実行を指示する。再び「回転開始信号」を受信すると、フリーズ連想演出「ＦＡ−Ｂ２−Ａ」の実行を指示する。そして、「回転開始信号」を受信すると、フリーズ連想演出「ＦＡ−Ｂ２−Ａ」の終了、つまり連続演出の終了を指示する。
なお、図１０に示したそれぞれのフリーズ連想演出及び特典連想演出は、連続演出実行手段370による実行の指示を契機に演出を開始した後、ゲーム更新手段220によるゲーム更新処理が終了するまでの間に、物語の最終まで実行できるように形成されている。また、図１０に示したそれぞれのフリーズ演出は、連続演出実行手段370による実行の指示を契機に演出を開始した後、遊技制御装置100から回転開始信号を受信するまでの間に、物語の最終まで実行できるように形成されている。
【００５１】
（画像データ記憶手段310）
画像データ記憶手段310は、画像表示装置34に表示させる画像に関するデータ（画像データ）を記憶する。この画像データは、ＲＯＭに格納されており、必要に応じてＣＰＵに出力される。
また、本実施の形態では、画像データ記憶手段310は、図１０に示したフリーズ連想演出、特典連想演出及びフリーズ演出についての画像データを記憶する。
（画像表示制御手段320）
画像表示制御手段320は、画像データ記憶手段310の記憶する画像データに基づいて、画像表示装置34の画像の表示を制御するものである。換言すると、遊技制御装置100からの信号に基づき、画像データ記憶手段310の記憶する画像データを選択し、この画像データに従って画像表示装置34に画像を表示させるようになっている。
【００５２】
また、本実施の形態では、画像表示制御手段320は、連続演出実行手段370からの指示に基づいて、フリーズ連想演出、特典連想演出またはフリーズ演出についての画像データを選択し、この画像データに従って画像表示装置34に画像を表示させるようになっている。
（音声データ記憶手段330）
音声データ記憶手段330は、スピーカ35,45に出力させる音声に関するデータ（音声データ）を記憶する。この音声データは、ＲＯＭに格納されており、必要に応じてＣＰＵに出力される。
また、本実施の形態では、音声データ記憶手段330は、図１０に示したフリーズ連想演出、特典連想演出及びフリーズ演出についての音声データを記憶する。
【００５３】
（音声出力制御手段340）
音声出力制御手段340は、音声データ記憶手段330の記憶する音声データに基づいて、スピーカ35,45の音声の出力を制御するものである。換言すると、遊技制御装置100からの信号に基づき、音声データ記憶手段330の記憶する音声データを選択し、この音声データに従ってスピーカ35,45にＢＧＭや効果音を発生させるようになっている。
また、本実施の形態では、音声出力制御手段340は、連続演出実行手段370からの指示に基づいて、フリーズ連想演出、特典連想演出またはフリーズ演出についての音声データを選択し、この音声データに従ってスピーカ35,45に音声を出力させるようになっている。
【００５４】
（ランプ点滅制御手段350）
ランプ点滅制御手段350は、ランプ33の点滅を制御するものである。具体的には、ランプ点滅制御手段350は、遊技制御装置100からの信号に基づき、複数の点滅パターンから１つ選択し、この点滅パターンに従ってランプ33を点滅させるようになっている。
（スロットマシンSの動作）
次に、本実施の形態に係るスロットマシンSにおける遊技の制御の概略について、図１１に示したフローチャートを用いて説明する。
ステップ１０１において、再遊技であるか否かの判断が行われる。そして、再遊技であると判断した場合には、ステップ１０２に進む。再遊技でないと判断した場合には、ステップ１０３に進む。
【００５５】
ステップ１０２において、再遊技ベット処理が行われる。具体的には、前回のゲームでベットされたメダルの枚数、つまり「３」をベット数記憶手段180のベット数に加算する更新が行われる。そして、ステップ１０４に進む。
ステップ１０３において、ベット処理が行われる。具体的には、メダルのベットの受け付けを開始し、投入センサー47がメダルを検出すると、ベット数記憶手段180のベット数に「１」を加算する更新が行われる。または、ベットスイッチ51が操作されると、クレジット数を減じるとともに、ベット数記憶手段180のベット数に加算する更新が行われる。そして、メダルのベットの受付を終了して、ステップ１０４に進む。
【００５６】
ステップ１０４において、スタートスイッチ53の操作の受け付けを開始して、スタートスイッチ53が操作されたか否かの判断が行われる。そして、スタートスイッチ53が操作されたと判断したときには、スタートスイッチ53の操作の受け付けを終了して、ステップ１０５に進む。スタートスイッチ53が操作されていないと判断したときには、ステップ１０４に戻る。
ステップ１０５において、当選抽選手段130による当選抽選処理が行われる。つまり、複数の当選役のいずれに当選かまたはハズレかの抽選が行われる。そして、ステップ１０６に進む。
【００５７】
ステップ１０６において、回転開始前処理が行われる。そして、ステップ１０７に進む。なお、回転開始前処理については、後述する。
ステップ１０７において、回転制御手段140の制御により各回転リール23が回転を開始して、一定の回転速度まで加速する。そして、ステップ１０８に進む。
ステップ１０８において、停止制御手段160による停止制御処理が行われる。そして、ステップ１０９に進む。なお、停止制御処理については、後述する。
ステップ１０９において、入賞判定手段170による入賞判定処理が行われる。つまり、複数の当選役のいずれに入賞か又は入賞なしかの判定が行われる。そして、ステップ１１０に進む。
【００５８】
ステップ１１０において、支払制御手段190による支払制御処理が行われる。つまり、入賞の特典としてメダルを支払う当選役について入賞と判定された場合に、当選役に応じた枚数のメダルを支払う制御が行われる。そして、ステップ１１１に進む。
ステップ１１１において、遊技移行処理が行われる。例えば、通常遊技において「赤セブン当選役の入賞」と判定された場合には、通常遊技からＢＢへ移行する。また、ＢＢ中に３２０枚を超えるメダルの支払いが行われると、ＢＢから通常遊技へ移行する。そして、ステップ１１２に進む。
ステップ１１２において、ゲーム更新処理が行われる。そして、ゲームを終了する。なお、ゲーム更新処理については、後述する。
【００５９】
次に、本実施の形態におけるステップ１０６の回転開始前処理について、図１２に示したフローチャートを用いて説明する。
ステップ２０１において、ＲＡＭの所定領域に「フリーズ命令フラグ」を有するか否かの判断が行われる。そして、「フリーズ命令フラグ」を有さないと判断した場合には、ステップ２０２に進む。「フリーズ命令フラグ」を有すると判断した場合には、ステップ２０８に進む。
ステップ２０２において、ＲＡＭの所定領域に「禁止期間１フラグ」、「禁止期間２フラグ」または「禁止期間３フラグ」のいずれかを有するか否かの判断が行われる。そして、いずれも有さないと判断した場合には、ステップ２０３に進む。いずれかを有すると判断した場合には、ステップ２１１に進む。
【００６０】
ステップ２０３において、ＲＡＭの所定領域に「フリーズ後期間１フラグ」、「フリーズ後期間２フラグ」または「フリーズ後期間３フラグ」のいずれかを有するか否かの判断が行われる。そして、いずれも有さないと判断した場合には、ステップ２０４に進む。いずれかを有すると判断した場合には、ステップ２１１に進む。
ステップ２０４において、通常遊技中であるか否かの判断が行われる。そして、通常遊技中であると判断した場合には、ステップ２０５に進む。通常遊技中でないと判断した場合には、ステップ２１１に進む。
ステップ２０５において、ＲＡＭの所定領域に「スイカ当選フラグ」を有するか否かの判断が行われる。そして、「スイカ当選フラグ」を有すると判断した場合には、ステップ２０６に進む。「スイカ当選フラグ」を有さないと判断した場合には、ステップ２１１に進む。
【００６１】
ステップ２０６において、フリーズ抽選処理が行われる。そして、ステップ２０７に進む。なお、フリーズ抽選処理については、後述する。
ステップ２０７において、ＲＡＭの所定領域に「フリーズ命令フラグ」を有するか否かの判断が行われる。そして、「フリーズ命令フラグ」を有すると判断した場合には、ステップ２０８に進む。「フリーズ命令フラグ」を有さないと判断した場合には、ステップ２１１に進む。
ステップ２０８において、第１タイマーを２０秒にセットしてカウントダウンを開始させる。そして、ステップ２０９に進む。
【００６２】
ステップ２０９において、フリーズの開始を示す「フリーズ開始信号」が遊技制御装置100から演出制御装置300へ送信される。そして、ステップ２１０に進む。
ステップ２１０において、ＲＡＭの所定領域から「フリーズ命令フラグ」を消去する。そして、ステップ２１１に進む。
ステップ２１１において、第１タイマーが０秒になったか否かの判断が行われる。そして、第１タイマーが０秒になったと判断した場合には、ステップ２１２に進む。第１タイマーが０秒になっていないと判断した場合には、ステップ２１１に戻る。
ステップ２１２において、第１タイマーを４．１秒にセットしてカウントダウンを開始させる。そして、ステップ２１３に進む。
【００６３】
ステップ２１３において、各回転リール23の回転の開始を示す「回転開始信号」が遊技制御装置100から演出制御装置300へ送信される。そして、回転開始前処理を終了する。
したがって、通常（本実施の形態では、ＲＡＭの所定領域に「フリーズ命令フラグ」を有さない場合）は、スタートスイッチ53が操作された際に、前のゲームで各回転リール23が回転を開始してから約４．１秒経過していれば、各回転リール23の回転を開始するようになっている。これに対し、ＲＡＭの所定領域に「フリーズ命令フラグ」を有する場合は、スタートスイッチが操作されてから約２０秒経過した後に、各回転リール23の回転を開始するようになっている。つまり、各回転リール23の回転の開始を通常よりも約２０秒遅らせるフリーズを行うようになっている。
【００６４】
なお、「フリーズ命令フラグ」の消去は、回転開始前処理（ステップ２１０）において行っているが、ゲーム更新処理において行うようにしてもよい。例えば、フリーズを実行した場合には、後述するステップ５１５において「フリーズ命令フラグ」を消去するようにしてもよい。
次に、本実施の形態におけるステップ２０６のフリーズ抽選処理について、図１３に示したフローチャートを用いて説明する。
ステップ３０１において、乱数発生器の発生する乱数から１つの数値が抽出され、抽出乱数データとされる。そして、ステップ３０２に進む。
【００６５】
ステップ３０２において、ＲＯＭに記憶されたフリーズ抽選テーブルのいずれかを、ＲＡＭの赤セブン当選フラグの有無に応じて選択する。そして、ステップ３０３に進む。
ステップ３０３において、フリーズ抽選判定処理が行われる。具体的には、フリーズ抽選乱数データがフリーズ抽選テーブルと対比され、当該フリーズ抽選乱数データの属する領域に応じてフリーズを実行するか否かを決定する。そして、ステップ３０４に進む。
ステップ３０４において、フリーズ抽選乱数データの属する領域に応じて、ＲＡＭの所定領域にフラグ（例えば、禁止期間３フラグなど）を設定する。そして、ステップ３０５に進む。
【００６６】
ステップ３０５において、抽選結果を示すフリーズ抽選結果信号が遊技制御装置100から演出制御装置300へ送信される。そして、フリーズ抽選処理を終了する。
なお、本実施の形態では、赤セブン当選フラグ非保有時のフリーズ抽選テーブルには、フリーズを実行しないことを決定する領域（領域Ｅ〜Ｈ）のみ割り振られており、フリーズを実行することを決定する領域（領域Ａ〜Ｄ）が割り振られていないが（図７参照）、この領域が割り振られてもよい。換言すると、本実施の形態は、ＲＡＭの所定領域に赤セブン当選フラグを有さない場合には、フリーズ及び特典連想演出を実行しないように形成されているが、フリーズ及び特典連想演出を実行することがあるように形成されてもよい。
【００６７】
次に、本実施の形態におけるステップ１０８の停止制御処理について、図１４に示したフローチャートを用いて説明する。
ステップ４０１において、ＲＯＭに格納された複数の停止テーブルの中から、ＲＡＭの所定領域に有する当選フラグに応じた停止テーブルを選択する。いずれの当選フラグも有さない場合には、ハズレ停止テーブルを選択する。そして、ステップ４０２に進む。
ステップ４０２において、ストップスイッチ54の操作の受付を開始する。これにより、ストップスイッチ54が操作されてストップ信号が出力されると、対応する回転リール23の停止制御を行うようになる。そして、ステップ４０３に進む。
【００６８】
ステップ４０３において、ストップスイッチ54が操作されたか否かの判断が行われる。そして、ストップスイッチ54が操作されたと判断したときには、ステップ４０４に進む。ストップスイッチ54が操作されていないと判断したときには、ステップ４０４に戻る。
ステップ４０４において、ストップスイッチ54の操作の受付を終了する。これにより、ストップスイッチ54が操作されてストップ信号が出力されても、対応する回転リール23の停止制御を行わないようになる。そして、ステップ４０５に進む。
ステップ４０５において、第２タイマーを０．２１秒にセットしてカウントダウンを開始する。そして、ステップ４０６に進む。
【００６９】
ステップ４０６において、選択した停止テーブルを参照して、操作されたストップスイッチ54に対応する回転リール23の滑りコマ数を取得する。そして、ステップ４０７に進む。
ステップ４０７において、取得した滑りコマ数分の停止基準位置が図柄表示窓31を通過した後、最初に図柄表示窓31に表示される停止基準位置に停止するように、回転リール23の回転を停止させる。そして、ステップ４０８に進む。
ステップ４０８において、すべての回転リール23が回転を停止したか否かの判断が行われる。そして、すべての回転リール23が回転を停止したと判断した場合には、停止制御処理を終了する。いずれかの回転リール23が回転していると判断した場合は、ステップ４０９に進む。
【００７０】
ステップ４０９において、第２タイマーが０秒になったか否かの判断が行われる。そして、第２タイマーが０秒になったと判断した場合には、ステップ４０２に戻る。第２タイマーが０秒になっていないと判断した場合には、ステップ４０９に戻る。
次に、本実施の形態におけるステップ１１２のゲーム更新処理について、図１５に示したフローチャートを用いて説明する。
ステップ５０１において、ＲＡＭの所定領域に「禁止期間３フラグ」を有するか否かの判断が行われる。そして、「禁止期間３フラグ」を有すると判断した場合には、ステップ５０２に進む。「禁止期間３フラグ」を有さないと判断した場合には、ステップ５０３に進む。
【００７１】
ステップ５０２において、「禁止期間３フラグ」を「禁止期間２フラグ」に書き換える。そして、ステップ５１５に進む。
ステップ５０３において、ＲＡＭの所定領域に「禁止期間２フラグ」を有するか否かの判断が行われる。そして、「禁止期間２フラグ」を有すると判断した場合には、ステップ５０４に進む。「禁止期間２フラグ」を有さないと判断した場合には、ステップ５０５に進む。
ステップ５０４において、「禁止期間２フラグ」を「禁止期間１フラグ」に書き換える。そして、ステップ５１５に進む。
【００７２】
ステップ５０５において、ＲＡＭの所定領域に「禁止期間１フラグ」を有するか否かの判断が行われる。そして、「禁止期間１フラグ」を有すると判断した場合には、ステップ５０６に進む。「禁止期間１フラグ」を有さないと判断した場合には、ステップ５０９に進む。
ステップ５０６において、ＲＡＭの所定領域に「フリーズ後期間３フラグ」を有するか否かの判断が行われる。そして、「フリーズ後期間３フラグ」を有すると判断した場合には、ステップ５０７に進む。「フリーズ後期間３フラグ」を有さないと判断した場合には、ステップ５０８に進む。
【００７３】
ステップ５０７において、「禁止期間１フラグ」を「フリーズ命令フラグ」に書き換える。そして、ステップ５１５に進む。
ステップ５０８において、ＲＡＭの所定領域から「禁止期間１フラグ」を消去する。そして、ステップ５１５に進む。
ここで、「フリーズ後期間３フラグ」は、フリーズ抽選乱数データがフリーズ抽選テーブルの領域ＡないしＤのいずれかに属する場合には設定されるが、フリーズ抽選乱数データがフリーズ抽選テーブルの領域ＥないしＨのいずれかに属する場合には設定されない。換言すると、「フリーズ後期間３フラグ」は、フリーズを実行することを決定した場合には設定されるが、フリーズを実行しないことを決定した場合には設定されない。したがって、「フリーズ後期間３フラグ」を有する場合には、「禁止期間１フラグ」を「フリーズ命令フラグ」に書き換えることで、次のゲームでフリーズを実行するように設定することができる。これに対し、「フリーズ後期間３フラグ」を有さない場合には、「禁止期間１フラグ」を消去することで、次のゲームでフリーズを実行しないように設定することができる。
【００７４】
ステップ５０９において、ＲＡＭの所定領域に「フリーズ後期間３フラグ」を有するか否かの判断が行われる。そして、「フリーズ後期間３フラグ」を有すると判断した場合には、ステップ５１０に進む。「フリーズ後期間３フラグ」を有さないと判断した場合には、ステップ５１１に進む。
ステップ５１０において、「フリーズ後期間３フラグ」を「フリーズ後期間２フラグ」に書き換える。そして、ステップ５１５に進む。
ステップ５１１において、ＲＡＭの所定領域に「フリーズ後期間２フラグ」を有するか否かの判断が行われる。そして、「フリーズ後期間２フラグ」を有すると判断した場合には、ステップ５１２に進む。「フリーズ後期間２フラグ」を有さないと判断した場合には、ステップ５１３に進む。
【００７５】
ステップ５１２において、「フリーズ後期間２フラグ」を「フリーズ後期間１フラグ」に書き換える。そして、ステップ５１５に進む。
ステップ５１３において、ＲＡＭの所定領域に「フリーズ後期間１フラグ」を有するか否かの判断が行われる。そして、「フリーズ後期間１フラグ」を有すると判断した場合には、ステップ５１４に進む。「フリーズ後期間１フラグ」を有さないと判断した場合には、ステップ５１５に進む。
ステップ５１４において、ＲＡＭの所定領域から「フリーズ後期間１フラグ」を消去する。これにより、次のゲーム以降、スイカ当選役の当選を条件に、フリーズ抽選を実行することが可能になる。そして、ステップ５１５に進む。
【００７６】
ステップ５１５において、ＲＡＭの所定領域がクリアされる。これにより、小役当選フラグの消去、入賞済みのボーナス当選フラグの消去、ベット数記憶手段180のベット数のクリア等がなされる。そして、ゲーム更新処理を終了する。
なお、ステップ５０５において、ＲＡＭの所定領域に「禁止期間１フラグ」を有すると判断した場合に、ステップ５０７に進み、「禁止期間１フラグ」を「フリーズ命令フラグ」に書き換えるようにしてもよい。そして、ステップ５１５において、ＲＡＭの所定領域に「フリーズ命令フラグ」を有する場合に、「フリーズ後期間３フラグ」を有さないときに、「フリーズ命令フラグ」を消去するようにする。そして、図１２の回転開始前処理のステップ２０１またはステップ２０７において、ＲＡＭの所定領域に「フリーズ命令フラグ」を有すると判断した場合に、「フリーズ後期間３フラグ」を有するときには、ステップ２０８に進んでフリーズを実行し、「フリーズ後期間３フラグ」を有さないときには、ステップ２１１に進んでフリーズを実行しないようにする。
【００７７】
また、ステップ５０５において、ＲＡＭの所定領域に「禁止期間１フラグ」を有すると判断した場合に、ステップ５０８に進み、「禁止期間１フラグ」を消去するようにしてもよい。そして、図１２の回転開始前処理のステップ２０１またはステップ２０７において、ＲＡＭの所定領域に「フリーズ後期間３フラグ」を有するか否かの判断が行うようにする。そして、「フリーズ後期間３フラグ」を有さないと判断した場合には、ステップ２０２に進み、「フリーズ後期間３フラグ」を有すると判断した場合には、「禁止期間１フラグ」、「禁止期間２フラグ」または「禁止期間３フラグ」のいずれかを有するか否かの判断を行うようにする。そして、いずれも有さないと判断した場合には、ステップ２０８に進んでフリーズを実行し、いずれかを有すると判断した場合には、ステップ２１１に進んでフリーズを実行しないようにする。
【００７８】
次に、本実施の形態における連続演出実行処理について、図１６に示したフローチャートを用いて説明する。この処理は、演出制御装置300で所定時間毎に繰り返し実行される。
ステップ６０１において、遊技制御装置100から信号を受信したか否かの判断が行われる。そして、遊技制御装置100から信号を受信したと判断した場合には、ステップ６０２に進む。遊技制御装置100から信号を受信していないと判断した場合には、連続演出実行処理を終了する。
ステップ６０２において、受信した信号がフリーズ抽選結果信号であるか否かの判断が行われる。そして、フリーズ抽選結果信号であると判断した場合には、ステップ６０３に進む。フリーズ抽選結果信号でないと判断した場合には、ステップ６０６に進む。
【００７９】
ステップ６０３において、連続演出抽選手段360による連続演出抽選処理が行われる。つまり、フリーズ抽選結果信号に基づいて、いずれの連続演出を実行するかを抽選で決定する。そして、ステップ６０４に進む。
ステップ６０４において、連続演出抽選処理で決定した連続演出がフリーズ連想演出を含むか否かの判断が行われる。そして、フリーズ連想演出を含むと判断した場合には、ステップ６０５に進む。フリーズ連想演出を含まないと判断した場合には、連続演出実行処理を終了する。
ステップ６０５において、連続演出抽選処理で決定したフリーズ連想演出の実行を画像表示制御手段320及び音声出力制御手段340に指示する。これにより、フリーズ連想演出の画像が画像表示装置34に表示されるとともに、フリーズ連想演出の音声がスピーカ35,45から出力される。そして、連続演出実行処理を終了する。
【００８０】
ステップ６０６において、受信した信号がフリーズ開始信号であるか否かの判断が行われる。そして、フリーズ開始信号であると判断した場合には、ステップ６０７に進む。フリーズ開始信号でないと判断した場合には、ステップ６０８に進む。
ステップ６０７において、連続演出抽選処理で決定したフリーズ演出の実行を画像表示制御手段320及び音声出力制御手段340に指示する。これにより、フリーズ演出の画像が画像表示装置34に表示されるとともに、フリーズ演出の音声がスピーカ35,45から出力される。そして、連続演出実行処理を終了する。
ステップ６０８において、受信した信号が回転開始信号であるか否かの判断が行われる。そして、回転開始信号であると判断した場合には、ステップ６０９に進む。回転開始信号でないと判断した場合には、連続演出実行処理を終了する。
【００８１】
ステップ６０９において、フリーズ演出の実行を指示したか否かの判断が行われる。そして、フリーズ演出の実行を指示したと判断した場合には、ステップ６１０に進む。フリーズ演出の実行を指示していないと判断した場合には、ステップ６１１に進む。
ステップ６１０において、連続演出抽選処理で決定した特典連想演出の実行を画像表示制御手段320及び音声出力制御手段340に指示する。これにより、特典連想演出の画像が画像表示装置34に表示されるとともに、特典連想演出の音声がスピーカ35,45から出力される。そして、連続演出実行処理を終了する。
ステップ６１１において、フリーズ連想演出の実行を指示したか否かの判断が行われる。そして、フリーズ連想演出の実行を指示したと判断した場合には、ステップ６１２に進む。フリーズ連想演出の実行を指示していないと判断した場合には、ステップ６１５に進む。
【００８２】
ステップ６１２において、連続演出抽選処理で決定した連続演出について実行を指示したフリーズ連想演出に続くフリーズ連想演出があるか否かの判断が行われる。そして、実行を指示したフリーズ連想演出に続くフリーズ連想演出があると判断した場合には、ステップ６１３に進む。実行を指示したフリーズ連想演出に続くフリーズ連想演出がないと判断した場合には、ステップ６１４に進む。
ステップ６１３において、次のフリーズ連想演出の実行を画像表示制御手段320及び音声出力制御手段340に指示する。そして、連続演出実行処理を終了する。
ステップ６１４において、フリーズ連想演出の終了を画像表示制御手段320及び音声出力制御手段340に指示する。そして、連続演出実行処理を終了する。
【００８３】
ステップ６１５において、特典連想演出の実行を指示したか否かの判断が行われる。そして、特典連想演出の実行を指示したと判断した場合には、ステップ６１６に進む。特典連想演出の実行を指示していないと判断した場合には、連続演出実行処理を終了する。
ステップ６１６において、連続演出抽選処理で決定した連続演出について実行を指示した特典連想演出に続く特典連想演出があるか否かの判断が行われる。そして、実行を指示した特典連想演出に続く特典連想演出があると判断した場合には、ステップ６１７に進む。実行を指示した特典連想演出に続く特典連想演出がないと判断した場合には、ステップ６１８に進む。
【００８４】
ステップ６１７において、次の特典連想演出の実行を画像表示制御手段320及び音声出力制御手段340に指示する。そして、連続演出実行処理を終了する。
ステップ６１８において、特典連想演出の終了を画像表示制御手段320及び音声出力制御手段340に指示する。そして、連続演出実行処理を終了する。
なお、本実施の形態では、遊技制御装置100から回転開始信号を受信したことを契機に、次のフリーズ連想演出または特典連想演出の実行を指示したり、実行を指示したフリーズ連想演出または特典連想演出の終了を指示したりするようになっているが、例えば、ベット処理または再遊技ベット処理の開始を契機に、実行を指示したフリーズ連想演出または特典連想演出の終了を指示し、さらに遊技制御装置100から回転開始信号を受信したことを契機に、次のフリーズ連想演出または特典連想演出の実行を指示するようにしてもよい。
【００８５】
以上のように、本実施の形態によれば、フリーズ抽選によりフリーズを実行することを決定した際に禁止期間を設定して、禁止期間中にフリーズ連想演出を行い、禁止期間の経過後にフリーズを行うようになっている。
具体的には、遊技制御装置100のＲＡＭの所定領域に「禁止期間１フラグ」ないし「禁止期間３フラグ」のいずれかを有する場合にはフリーズ抽選を行わず、「フリーズ命令フラグ」を有する場合にのみフリーズを行うようになっている。また、演出制御装置300において、遊技制御装置100からのフリーズ抽選結果信号に基づいてフリーズ連想演出を選択し、実行するようになっている。例えば、フリーズ抽選の抽選結果が領域Ａの場合に、連続演出抽選手段360が領域Ａ１の連続演出を選択したときに、フリーズ連想演出「ＦＡ−Ｈ１−Ａ」から「ＦＡ−Ｈ３−Ａ」まで行われた後に、フリーズ及びフリーズ演出が行われる。このように、フリーズ連想演出を行った後にフリーズを行うので、実行中のフリーズ連想演出がフリーズの開始によって途中で打ち切られることを防止することができる。また、本実施の形態では、ＲＡＭの所定領域に「赤セブン当選フラグ」を有する場合と、「赤セブン当選フラグ」を有さない場合の双方とも、「フリーズ連想演出」を行うことがある。これに対し、ＲＡＭの所定領域に「赤セブン当選フラグ」を有する場合にのみ「フリーズ」及び「フリーズ演出」を行うようになっている。したがって、遊技者は、「フリーズ連想演出」が行われると、さらに「フリーズ」及び「フリーズ演出」が行われることを期待するようになる。そして、実行中の「フリーズ連想演出」が「フリーズ」の開始により途中で打ち切られることが無いので、遊技者は「フリーズ連想演出」を楽しみながら「フリーズ」及び「フリーズ演出」を待つことができる。
【００８６】
また、本実施の形態によれば、フリーズ後期間中に特典連想演出を行う場合は、当該期間中にフリーズ抽選を行わないようになっている。したがって、特典連想演出の最中にフリーズを行わないようになっている。
具体的には、遊技制御装置100のＲＡＭの所定領域に「フリーズ後期間１フラグ」ないし「フリーズ後期間３フラグ」のいずれかを有する場合には、フリーズ抽選を行わず、したがってフリーズも行わないようになっている。また、演出制御装置300において、遊技制御装置100からのフリーズ抽選結果信号に基づいて特典連想演出を選択し、実行するようになっている。例えば、フリーズ抽選の抽選結果が領域Ａの場合に、連続演出抽選手段360が領域Ａ１の連続演出を選択したときに、特典連想演出「ＢＡ−Ｈ１−Ａ」から「ＢＡ−Ｈ３−Ａ」まで行われている間は、フリーズ抽選を行わない。したがって、実行中の特典連想演出がフリーズの開始によって途中で打ち切られることを防止することができる。また、本実施の形態では、ＲＡＭの所定領域に「赤セブン当選フラグ」を有する場合にのみ「フリーズ」、「フリーズ演出」及び「特典連想演出」を行うようになっている。したがって、遊技者は、「フリーズ」、「フリーズ演出」及び「特典連想演出」が行われると、「赤セブン当選役」の入賞が可能になったことを知得できる。そして、実行中の「特典連想演出」が「フリーズ」の開始により途中で打ち切られることが無いので、遊技者は「特典連想演出」を楽しみながら「赤セブン当選役」の入賞を待つことができる。
【００８７】
また、本実施の形態によれば、禁止期間中にフリーズ連想演出を行う場合は、禁止期間中に実行するゲームの回数に基づいてフリーズ連想演出を選択するようになっている。これにより、禁止期間の長さに応じた適切なフリーズ連想演出を行うことができる。
具体的には、遊技制御装置100において、フリーズ抽選を行う際に禁止期間中に実行するゲームの回数をも抽選で決定し、演出制御装置300において、遊技制御装置100からのフリーズ抽選結果信号に基づいてフリーズ連想演出を選択し、実行するようになっている。例えば、フリーズ抽選の抽選結果が領域Ａの場合には、禁止期間として３ゲームを実行するまでフリーズ抽選を禁止する。そして、領域Ａである場合に用いる演出抽選テーブルに基づいて連続演出を選択する。この演出用抽選テーブルは、３ゲーム中にフリーズ連想演出を行う連続演出が割り振られている。このように、禁止期間中に実行するゲームの回数応じた適切なフリーズ連想演出を行うことができる。
【００８８】
（第２の実施の形態）
第１の実施の形態では、フリーズとして、各回転リール23の回転の開始を通常よりも所定時間遅らせるようにした。これに対し、第２の実施の形態では、フリーズとして、ストップスイッチ54の操作の受け付けの開始を通常よりも所定時間遅らせるようにした。
また、第１の実施の形態では、演出制御装置300に連続演出抽選手段360及び連続演出実行手段370を設けて、演出制御装置300において連続演出実行処理を行うようにした。これに対し、第２の実施の形態では、遊技制御装置100に連続演出制御手段240を設けて、遊技制御装置100において連続演出制御処理を行うようにした。
【００８９】
そこで、第２の実施の形態では、第１の実施の形態との相違点を中心に説明する。
なお、第２の実施の形態において、ストップスイッチ54の操作の受け付けの開始を通常よりも所定時間遅らせることを、以下「フリーズ」と呼ぶ。
（遊技制御装置100）
遊技制御装置100は、ＣＰＵがＲＯＭに記憶されたプログラムを実行することにより、通常遊技制御手段110、特別遊技制御手段120、当選抽選手段130、回転制御手段140、回転位置判断手段150、停止制御手段160、入賞判定手段170、ベット数記憶手段180、支払制御手段190、フリーズ抽選手段200、フリーズ実行手段210、ゲーム更新手段220、内部中特典連想演出カウンタ230、連続演出制御手段240などとして機能する（図１７参照）。
【００９０】
（演出制御装置300）
演出制御装置300は、ＣＰＵがＲＯＭに記憶されたプログラムを実行することにより、画像データ記憶手段310、画像表示制御手段320、音声データ記憶手段330、音声出力制御手段340、ランプ点滅制御手段350などとして機能する（図１７参照）。
（内部中特典連想演出カウンタ230）
内部中特典連想演出カウンタ230は、ＲＡＭの所定領域に「赤セブン当選フラグ」を有する場合に「特典連想演出」を実行した回数を所定回数まで記憶するものである。
具体的には、遊技制御装置100のＲＡＭに、ＲＡＭの所定領域に「赤セブン当選フラグ」を有する場合に「特典連想演出」を実行した回数を記憶させる領域を設ける。また、初期値「０」に予め設定されており、ＲＡＭの所定領域に「赤セブン当選フラグ」を有する場合に「特典連想演出」を実行する度に、「１」を加算する更新を行う。そして、ＲＡＭの所定領域に記憶させた値が「３」に達すると、初期値「０」にリセットするようになっている。
【００９１】
（フリーズ抽選手段200）
フリーズ抽選手段200は、所定条件の充足を契機に、フリーズを実行するか否かを抽選で決定するフリーズ抽選を行うものである。
本実施の形態では、フリーズ抽選手段200は、通常遊技中に当選抽選手段130の抽選で「スイカ当選役」に当選したこと、換言すると、通常遊技中に遊技制御装置100のＲＡＭの所定領域に「スイカ当選フラグ」が設定されたことを契機に、フリーズ抽選を行う。
また、遊技制御装置100のＲＯＭには、乱数発生器の発生させる各乱数について、フリーズを実行するか否か、及び禁止期間中に実行するゲームの回数について割り振ったテーブルが格納されている。本実施の形態では、図１８に示すように、赤セブン当選フラグ保有時のフリーズ抽選テーブル、赤セブン当選フラグ非保有時のフリーズ抽選テーブルがＲＯＭに格納されている。赤セブン当選フラグ保有時のフリーズ抽選テーブルには、フリーズを実行することを決定する領域（領域Ａ〜Ｄ）と、フリーズを実行しないことを決定する領域（領域Ｅ〜Ｈ）とが割り振られている。これに対し、赤セブン当選フラグ非保有時のフリーズ抽選テーブルには、領域Ｄが割り振られていない。
【００９２】
フリーズ抽選手段200は、通常遊技中に遊技制御装置100のＲＡＭの所定領域に「スイカ当選フラグ」が設定されたことを契機に、乱数発生器の発生する乱数から１つの数値を抽出し、フリーズ抽選乱数データとする。そして、赤セブン当選フラグの有無に応じて選択したフリーズ抽選テーブルを参照して、当該フリーズ抽選乱数データの属する領域に応じてフリーズを実行するか否かを決定する。
そして、フリーズ抽選手段200によりフリーズ抽選が行われると、抽選結果を示すフリーズ抽選結果信号が連続演出制御手段240へ送信されるようになっている。
ただし、フリーズ抽選手段200は、通常遊技中にＲＡＭの所定領域に「スイカ当選フラグ」が設定された場合に、ＲＡＭの所定領域に「禁止期間３フラグ」、「禁止期間２フラグ」または「禁止期間１フラグ」を有するときには、フリーズ抽選を行わない。また、フリーズ抽選手段200は、通常遊技中にＲＡＭの所定領域に「スイカ当選フラグ」が設定された場合に、ＲＡＭの所定領域に「フリーズ後期間３フラグ」、「フリーズ後期間２フラグ」または「フリーズ後期間１フラグ」を有するときには、フリーズ抽選を行わない。
【００９３】
（フリーズ実行手段210）
フリーズ実行手段210は、フリーズ抽選によりフリーズを実行することを決定した場合に、フリーズを実行するものである。
本実施の形態では、フリーズ実行手段210は、各回転リール23が回転を開始して、一定の回転速度まで加速した場合において、遊技制御装置100のＲＡＭの所定領域に「フリーズ命令フラグ」を有し、且つ内部中特典連想演出カウンタ230の記憶する値が「２」でないときに、フリーズを実行するようになっている。
具体的には、各回転リール23が回転を開始して、一定の回転速度まで加速した場合に、遊技制御装置100のＲＡＭの所定領域に「フリーズ命令フラグ」を有し、且つ内部中特典連想演出カウンタ230の記憶する値が「２」でないときに、停止制御手段160による停止制御処理を開始させず、第１タイマーを２０秒にセットしてカウントダウンを開始させる。そして、第１タイマーが０秒になると、停止制御手段160による停止制御処理を開始させるようになっている。
【００９４】
なお、第１タイマーが計時を開始すると、フリーズの開始を示す「フリーズ開始信号」が連続演出制御手段240へ送信されるとともに、「フリーズ命令フラグ」が消去されるようになっている。また、第１タイマーが０秒になると、フリーズの終了を示す「フリーズ終了信号」が連続演出制御手段240へ送信されるようになっている。
（連続演出制御手段240）
連続演出制御手段240は、フリーズ抽選の抽選結果に応じた連続演出を実行するためのものである。本実施の形態では、連続演出制御手段240は、遊技制御装置100に設けられている。
【００９５】
本実施の形態では、フリーズ抽選の抽選結果、赤セブン当選フラグの有無、及び内部中特典連想演出カウンタ230の記憶する値に応じて、実行する連続演出が予め設定されている。
具体的には、図１９に示すように、ＲＡＭの所定領域に「赤セブン当選フラグ」を有する場合において、フリーズ抽選の抽選結果、及び内部中特典連想演出カウンタ230の記憶する値に応じて、実行する連続演出が予め設定されている。例えば、フリーズ抽選の抽選結果が領域Ｂの場合に、内部中特典連想演出カウンタ230の記憶する値が「２」のときには、連続演出「ＦＡ−Ｈ２−Ｃ ⇒ ＦＡ−Ｈ３−Ｃ ⇒ Ｂ−Ｃ ⇒ ＢＡ−１−Ｃ ⇒ ＢＡ−２−Ｃ ⇒ ＢＡ−３−Ｃ」を実行するようになっている。
【００９６】
また、図２０に示すように、ＲＡＭの所定領域に「赤セブン当選フラグ」を有さない場合において、フリーズ抽選の抽選結果及び内部中特典連想演出カウンタ230の記憶する値に応じて、実行する連続演出が予め設定されている。例えば、フリーズ抽選の抽選結果が領域Ｂの場合に、内部中特典連想演出カウンタ230の記憶する値が「２」のときには、連続演出「ＦＡ−Ｈ２−Ｃ ⇒ ＦＡ−Ｈ３−Ｃ」を実行するようになっている。
本実施の形態では、フリーズ抽選結果信号、フリーズ開始信号、フリーズ終了信号または回転開始信号の受信を契機に、画像表示制御手段320及び音声出力制御手段340にフリーズ連想演出、特典連想演出またはフリーズ演出の実行を指示する。
【００９７】
ここで、ＲＡＭの所定領域に「赤セブン当選フラグ」を有する場合において、フリーズ抽選の抽選結果が領域Ｂであり、内部中特典連想演出カウンタ230の記憶する値が「２」のときの連続演出について説明する。先ず、「フリーズ抽選結果信号信号」を受信すると、フリーズ連想演出「ＦＡ−Ｈ２−Ｃ」の実行を指示する信号を演出制御装置300へ送信する。次に、「回転開始信号」を受信すると、フリーズ連想演出「ＦＡ−Ｈ３−Ｃ」の実行を指示する信号を演出制御装置300へ送信する。そして、「フリーズ開始信号」を受信すると、フリーズ演出「Ｂ−Ｃ」の実行を指示する信号を演出制御装置300へ送信する。続いて、「フリーズ終了信号」を受信すると、特典連想演出「ＢＡ−１−Ｃ」の実行を指示する信号を演出制御装置300へ送信する。再び「回転開始信号」を受信すると、特典連想演出「ＢＡ−２−Ｃ」の実行を指示する。さらに「回転開始信号」を受信すると、特典連想演出「ＢＡ−３−Ｃ」の実行を指示する。そして、「回転開始信号」を受信すると、特典連想演出「ＢＡ−３−Ｃ」の終了を指示する信号、つまり連続演出の終了を指示する信号を演出制御装置300へ送信する。
【００９８】
次に、ＲＡＭの所定領域に「赤セブン当選フラグ」を有さない場合において、フリーズ抽選の抽選結果が領域Ｂであり、内部中特典連想演出カウンタ230の記憶する値が「２」のときの連続演出について説明する。先ず、「フリーズ抽選結果信号信号」を受信すると、フリーズ連想演出「ＦＡ−Ｈ２−Ｃ」の実行を指示する信号を演出制御装置300へ送信する。次に、「回転開始信号」を受信すると、フリーズ連想演出「ＦＡ−Ｈ３−Ｃ」の実行を指示する信号を演出制御装置300へ送信する。さらに「回転開始信号」を受信すると、フリーズ連想演出「ＦＡ−Ｈ３−Ｃ」の終了を指示する信号、つまり連続演出の終了を指示する信号を演出制御装置300へ送信する。
【００９９】
図２１には、本実施の形態の備えるフリーズ連想演出、特典連想演出及びフリーズ演出を示した。これらの中のいずれかの演出について、実行を指示する指示する信号が演出制御装置300へ送信されると、対応する演出の画像が画像表示制御手段320の制御により画像表示装置34に表示されるとともに、対応する演出の音声が音声出力制御手段340の制御によりスピーカ35,45から出力される。
なお、図２１に示したそれぞれのフリーズ連想演出及び特典連想演出は、連続演出制御手段240による実行の指示を契機に演出を開始した後、ゲーム更新手段220によるゲーム更新処理が終了するまでの間に、物語が完結するように形成されている。また、図２１に示したそれぞれのフリーズ演出は、連続演出制御手段240による実行の指示を契機に演出を開始した後、フリーズ終了信号が連続演出制御手段240に送信されるまでの間に、物語が完結するように形成されている。
【０１００】
（スロットマシンSの動作）
次に、本実施の形態に係るスロットマシンSにおける遊技の制御の概略について、図２２に示したフローチャートを用いて説明する。ステップ１０１〜１０５については、第１の実施の形態と同様なので、ステップ１０６から説明する。
ステップ１０６において、回転開始前処理が行われる。そして、ステップ１０７に進む。なお、回転開始前処理については、後述する。
ステップ１０７において各回転リール23が一定の回転速度まで加速すると、ステップ１０７ａに進み、ＲＡＭの所定領域に「フリーズ命令フラグ」を有するか否かの判断が行われる。そして、「フリーズ命令フラグ」を有すると判断した場合には、ステップ１０７ｂに進み、「フリーズ命令フラグ」を有さないと判断した場合には、ステップ１０８に進む。
【０１０１】
ステップ１０７ｂにおいて、内部中特典連想演出カウンタ230の記憶する値が「２」であるか否かの判断が行われる。そして、「２」であると判断した場合には、ステップ１０７ｃに進み、「２」でないと判断した場合には、ステップ１０７ｄに進む。
ステップ１０７ｃにおいて、ＲＡＭの所定領域に「赤セブン当選フラグ」を有するか否かの判断が行われる。そして、「赤セブン当選フラグ」を有すると判断した場合には、ステップ１０７ｄに進み、「赤セブン当選フラグ」を有さないと判断した場合には、ステップ１０７ｈに進む。
ステップ１０７ｄにおいて、第１タイマーを２０秒にセットしてカウントダウンを開始させると、ステップ１０７ｅに進み、「フリーズ開始信号」が遊技制御装置100から演出制御装置300へ送信されて、ステップ１０７ｆに進む。
【０１０２】
ステップ１０７ｆにおいて、第１タイマーが０秒になったか否かの判断が行われ、第１タイマーが０秒になったと判断した場合には、ステップ１０７ｇに進み、フリーズの終了を示す「フリーズ終了信号」が遊技制御装置100から演出制御装置300へ送信されて、ステップ１０７ｈに進む。
ステップ１０７ｈにおいて、ＲＡＭの所定領域から「フリーズ命令フラグ」が消去されて、ステップ１０８の停止制御処理に進む。
なお、ステップ１０８〜１１２については、第１の実施の形態と同様なので、説明を省略する。
【０１０３】
次に、本実施の形態におけるステップ１０６の回転開始前処理について、図２３に示したフローチャートを用いて説明する。
ステップ２０１において、ＲＡＭの所定領域に「フリーズ命令フラグ」を有するか否かの判断が行われる。そして、「フリーズ命令フラグ」を有さないと判断した場合には、ステップ２０２に進む。「フリーズ命令フラグ」を有すると判断した場合には、ステップ２０７に進む。
ステップ２０２において、ＲＡＭの所定領域に「禁止期間１フラグ」、「禁止期間２フラグ」または「禁止期間３フラグ」のいずれかを有するか否かの判断が行われる。そして、いずれも有さないと判断した場合には、ステップ２０３に進む。いずれかを有すると判断した場合には、ステップ２０７に進む。
【０１０４】
ステップ２０３において、ＲＡＭの所定領域に「フリーズ後期間１フラグ」、「フリーズ後期間２フラグ」または「フリーズ後期間３フラグ」のいずれかを有するか否かの判断が行われる。そして、いずれも有さないと判断した場合には、ステップ２０４に進む。いずれかを有すると判断した場合には、ステップ２０７に進む。
ステップ２０４において、通常遊技中であるか否かの判断が行われる。そして、通常遊技中であると判断した場合には、ステップ２０５に進む。通常遊技中でないと判断した場合には、ステップ２０７に進む。
ステップ２０５において、ＲＡＭの所定領域に「スイカ当選フラグ」を有するか否かの判断が行われる。そして、「スイカ当選フラグ」を有すると判断した場合には、ステップ２０６に進む。「スイカ当選フラグ」を有さないと判断した場合には、ステップ２０７に進む。
【０１０５】
ステップ２０６において、フリーズ抽選処理が行われる。そして、ステップ２０７に進む。なお、フリーズ抽選処理については、第１の実施の形態と共通なので、説明を省略する。
ステップ２０７において、第１タイマーが０秒になったか否かの判断が行われる。そして、第１タイマーが０秒になったと判断した場合には、ステップ２０８に進む。第１タイマーが０秒になっていないと判断した場合には、ステップ２０７に戻る。
ステップ２０８において、第１タイマーを４．１秒にセットしてカウントダウンを開始させる。そして、ステップ２０９に進む。
【０１０６】
ステップ２０９において、各回転リール23の回転の開始を示す「回転開始信号」が連続演出制御手段240へ送信される。そして、回転開始前処理を終了する。
次に、本実施の形態における連続演出制御処理について、図２４に示したフローチャートを用いて説明する。この処理は、連続演出制御手段240により所定時間毎に繰り返し実行される。
ステップ７０１において、フリーズ抽選結果信号を受信したか否かの判断が行われる。そして、フリーズ抽選結果信号を受信したと判断した場合には、ステップ７０２に進む。フリーズ抽選結果信号を受信していないと判断した場合には、ステップ７０４に進む。
【０１０７】
ステップ７０２において、フリーズ抽選の抽選結果、赤セブン当選フラグの有無、及びＢＢを実行した回数に応じた連続演出に、フリーズ連想演出を含むか否かの判断が行われる。そして、フリーズ連想演出を含むと判断した場合には、ステップ７０３に進む。フリーズ連想演出を含まないと判断した場合には、連続演出制御処理を終了する。
ステップ７０３において、フリーズ連想演出の実行を指示する指示する信号が演出制御装置300へ送信される。これにより、フリーズ連想演出の画像が画像表示装置34に表示されるとともに、フリーズ連想演出の音声がスピーカ35,45から出力される。そして、連続演出制御処理を終了する。
【０１０８】
ステップ７０４において、フリーズ開始信号を受信したか否かの判断が行われる。そして、フリーズ開始信号を受信したと判断した場合には、ステップ７０５に進む。フリーズ開始信号を受信していないと判断した場合には、ステップ７０６に進む。
ステップ７０５において、フリーズ演出の実行を指示する信号が演出制御装置300へ送信される。これにより、フリーズ演出の画像が画像表示装置34に表示されるとともに、フリーズ演出の音声がスピーカ35,45から出力される。そして、連続演出制御処理を終了する。
ステップ７０６において、回転開始信号を受信したか否かの判断が行われる。そして、回転開始信号を受信していないと判断した場合には、ステップ７０７に進む。回転開始信号を受信したと判断した場合には、ステップ７１１に進む。
【０１０９】
ステップ７０７において、フリーズ終了信号を受信したか否かの判断が行われる。そして、フリーズ終了信号を受信したと判断した場合には、ステップ７０８に進む。フリーズ終了信号を受信していないと判断した場合には、連続演出制御処理を終了する。
ステップ７０８において、フリーズ抽選の抽選結果、赤セブン当選フラグの有無、及びＢＢを実行した回数に応じた連続演出に、特典連想演出を含むか否かの判断が行われる。そして、特典連想演出を含むと判断した場合には、ステップ７０９に進む。特典連想演出を含まないと判断した場合には、ステップ７１０に進む。
ステップ７０９において、特典連想演出の実行を指示する信号が演出制御装置300へ送信される。これにより、特典連想演出の画像が画像表示装置34に表示されるとともに、特典連想演出の音声がスピーカ35,45から出力される。そして、連続演出制御処理を終了する。
【０１１０】
ステップ７１０において、フリーズ演出の終了を指示する信号が演出制御装置300へ送信される。そして、連続演出制御処理を終了する。
ステップ７１１において、フリーズ連想演出の実行を指示したか否かの判断が行われる。そして、フリーズ連想演出の実行を指示したと判断した場合には、ステップ７１２に進む。フリーズ連想演出の実行を指示していないと判断した場合には、ステップ７１５に進む。
ステップ７１２において、実行を指示したフリーズ連想演出に続くフリーズ連想演出があるか否かの判断が行われる。そして、実行を指示したフリーズ連想演出に続くフリーズ連想演出があると判断した場合には、ステップ７１３に進む。実行を指示したフリーズ連想演出に続くフリーズ連想演出がないと判断した場合には、ステップ７１４に進む。
【０１１１】
ステップ７１３において、次のフリーズ連想演出の実行を指示する信号が演出制御装置300へ送信される。そして、連続演出制御処理を終了する。
ステップ７１４において、フリーズ連想演出の終了を指示する信号が演出制御装置300へ送信される。そして、連続演出制御処理を終了する。
ステップ７１５において、特典連想演出の実行を指示したか否かの判断が行われる。そして、特典連想演出の実行を指示したと判断した場合には、ステップ７１６に進む。特典連想演出の実行を指示していないと判断した場合には、連続演出制御処理を終了する。
ステップ７１６において、実行を指示した特典連想演出に続く特典連想演出があるか否かの判断が行われる。そして、実行を指示した特典連想演出に続く特典連想演出があると判断した場合には、ステップ７１７に進む。実行を指示した特典連想演出に続く特典連想演出がないと判断した場合には、ステップ７１８に進む。
【０１１２】
ステップ７１７において、次の特典連想演出の実行を指示する信号が演出制御装置300へ送信される。そして、連続演出制御処理を終了する。
ステップ７１８において、特典連想演出の終了を指示する信号が演出制御装置300へ送信される。そして、連続演出制御処理を終了する。
以上のように、本実施の形態によれば、フリーズ抽選によりフリーズを実行することを決定した際に禁止期間を設定して、禁止期間中にフリーズ連想演出を行い、禁止期間の経過後にフリーズを行うようになっている。これにより、フリーズ連想演出を行った後にフリーズを行うので、実行中のフリーズ連想演出がフリーズの開始によって途中で打ち切られることを防止することができる。
【０１１３】
また、本実施の形態によれば、フリーズ後期間中に特典連想演出を行う場合は、当該期間中にフリーズ抽選を行わないようになっている。したがって、特典連想演出の最中にフリーズを行わないようになっている。これにより、実行中の特典連想演出がフリーズの開始によって途中で打ち切られることを防止することができる。
また、本実施の形態によれば、禁止期間中にフリーズ連想演出を行う場合は、禁止期間中に実行するゲームの回数に基づいてフリーズ連想演出を選択するようになっている。これにより、禁止期間の長さに応じた適切なフリーズ連想演出を行うことができる。
また、本実施の形態では、図１９及び図２０に示すように、ＲＡＭの所定領域に「赤セブン当選フラグ」を有する場合と、「赤セブン当選フラグ」を有さない場合の双方とも、フリーズ抽選の１の抽選結果につき３通りの連続演出が設定されている。そして、３通りの連続演出は、互いに異なるフリーズ連想演出、フリーズ演出または特典連想演出が設定されている。これにより、遊技者は、どのフリーズ連想演出、フリーズ演出または特典連想演出が行われたかで、内部中特典連想演出カウンタ230の記憶する値を把握することができる。なお、内部中特典連想演出カウンタ230の記憶する値を、例えば画像表示装置34や数値表示部32に表示したり、スピーカ35,45で告知したりすることにより、遊技者に把握させるようにしてもよい。
【０１１４】
そして、本実施の形態では、内部中特典連想演出カウンタ230の記憶する値が「２」でない場合、つまり「０」または「１」である場合に、ＲＡＭの所定領域に「赤セブン当選フラグ」を有するときと、「赤セブン当選フラグ」を有さないときの双方とも、フリーズ、フリーズ演出及び特典連想演出を含む連続演出を行うことがある。そして、ＲＡＭの所定領域に「赤セブン当選フラグ」を有するときには、連続演出の最後に「ハッピーエンド」の特典連想演出を行い、「赤セブン当選フラグ」を有さないときには、連続演出の最後に「バッドエンド」の特典連想演出を行うようになっている。したがって、遊技者は、連続演出の最後の特典連想演出が行われて、初めて「赤セブン当選役」の入賞が可能になったか否かを知得できる。そして、実行中の「特典連想演出」が「フリーズ」の開始により途中で打ち切られることが無いので、遊技者は最後に「ハッピーエンド」の特典連想演出が行われることを期待しつつ、最後まで連続演出を楽しむことができる。
【０１１５】
これに対し、内部中特典連想演出カウンタ230の記憶する値が「２」である場合に、ＲＡＭの所定領域に「赤セブン当選フラグ」を有するときには、フリーズ、フリーズ演出及び特典連想演出を含む連続演出を行うことがあるが、「赤セブン当選フラグ」を有さないときには、フリーズ、フリーズ演出及び特典連想演出を含む連続演出を行わないようになっている。したがって、遊技者は、「フリーズ」及び「フリーズ演出」が行われた段階で、「赤セブン当選役」の入賞が可能になったことを知得できる。これにより、内部中特典連想演出カウンタ230の記憶する値が「２」である場合に実行する「フリーズ」及び「フリーズ演出」は、「２」でない場合に実行する「フリーズ」及び「フリーズ演出」よりも、遊技者を引き付けることができる。また、内部中特典連想演出カウンタ230の記憶する値が「２」である場合に実行する「フリーズ連想演出」は、「２」でない場合に実行する「フリーズ連想演出」よりも、遊技者に「フリーズ」及び「フリーズ演出」の実行を期待させることができる。また、内部中特典連想演出カウンタ230の記憶する値が「２」である場合に実行する「特典連想演出」は、「２」でない場合に実行する「特典連想演出」よりも、「赤セブン当選役」の入賞に対する遊技者の期待を高めることができる。そして、実行中の「特典連想演出」が「フリーズ」の開始により途中で打ち切られることが無いので、遊技者は「特典連想演出」を楽しみながら「赤セブン当選役」の入賞を待つことができる。
【０１１６】
取り分け、フリーズ演出「Ｂ−Ｃ」、並びに特典連想演出「ＢＡ−１−Ｃ」、「ＢＡ−２−Ｃ」及び「ＢＡ−３−Ｃ」は、ＲＡＭの所定領域に「赤セブン当選フラグ」を有するときにのみ行われるようになっている。つまり、遊技者は、これらの演出の実行により、「赤セブン当選役」の入賞が可能になったことを知得できる。したがって、フリーズ演出「Ｂ−Ｃ」は、ＲＡＭの所定領域に「赤セブン当選フラグ」を有する場合と、「赤セブン当選フラグ」を有さない場合の双方で行うことのあるフリーズ演出よりも、遊技者を引き付けることができる。また、特典連想演出「ＢＡ−１−Ｃ」、「ＢＡ−２−Ｃ」及び「ＢＡ−３−Ｃ」は、ＲＡＭの所定領域に「赤セブン当選フラグ」を有する場合と、「赤セブン当選フラグ」を有さない場合の双方で行うことのある特典連想演出よりも、「赤セブン当選役」の入賞に対する遊技者の期待を高めることができる。
【０１１７】
また、本実施の形態では、ストップスイッチ54の操作の受け付けの開始を通常よりも所定時間遅らせるフリーズとして、各回転リール23の回転開始以後の最初のストップスイッチ54の操作の受け付けの開始を遅らせるようになっているが、２番目または３番目のストップスイッチ54の操作の受け付けの開始を遅らせるようにしてもよい。具体的には、本実施の形態では、１のストップスイッチ54が操作されると、対応する回転リール23の回転停止を開始するとともに、ストップスイッチ54の操作の受け付けを終了する。また、当該ストップスイッチ54の操作から所定時間が経過すると、回転中の回転リール23に対応するストップスイッチ54の操作の受け付けを開始するようになっている。そこで、各回転リール23の回転開始以後に最初のストップスイッチ54が操作された際、または２番目のストップスイッチ54が操作された際に、回転中の回転リール23に対応するストップスイッチ54の操作の受け付けの開始を、フリーズとして通常よりも所定時間遅らせるようにしてもよい。
【０１１８】
また、フリーズ抽選について、ＲＡＭの所定領域に「赤セブン当選フラグ」を有さない場合に、内部中特典連想演出カウンタ230が「２」であるときに、フリーズを実行することを決定する領域（例えば、領域Ａ〜Ｄ）が割り振られておらず、且つフリーズを実行しないことを決定する領域（例えば、領域Ｅ〜Ｈ）が割り振られたフリーズ抽選テーブルを用いて抽選を行い、「フリーズ」、「フリーズ演出」及び「特典連想演出」を行わないようにしてもよい。具体的には、例えば、ＲＡＭの所定領域に「赤セブン当選フラグ」を有さない場合に、内部中特典連想演出カウンタ230が「０」または「１」であるときには、図１８の（Ｂ）の赤セブン当選フラグ保有時のフリーズ抽選テーブルを用いてフリーズ抽選を行うが、内部中特典連想演出カウンタ230が「２」であるときには、図７の（Ｂ）の赤セブン当選フラグ保有時のフリーズ抽選テーブルを用いてフリーズ抽選を行うようにしてもよい。
【０１１９】
（他の実施の形態）
本発明は、上述した実施の形態に限定されるものではなく、本発明の目的を達成できる範囲における変形や改良も含むものである。
また、上述した実施の形態では、遊技媒体としてメダルを用いるスロットマシンについて説明したが、本発明は、遊技媒体としてパチンコ玉を用いるスロットマシンにも適用することができる。
また、上述した実施の形態では、ＲＡＭの所定領域に有する「禁止期間フラグ」や「フリーズ後期間フラグ」に基づいて「禁止期間」や「フリーズ後期間」の管理を行っているが、本発明は、「禁止期間フラグ」や「フリーズ後期間フラグ」の代わりに「禁止期間」や「フリーズ後期間」において実行したゲームの回数を数える「ゲーム回数カウンタ」を設け、この「ゲーム回数カウンタ」の計数に基づいて「禁止期間」や「フリーズ後期間」の管理を行うようにしてもよい。
【０１２０】
また、上述した実施の形態では、「特典の付与」は、「赤セブン当選フラグ」が設定されて「赤セブン当選役」の入賞が可能になったこと、つまり「ＢＢ」への移行が可能になったことであるが、本発明はこれに限定されるものではない。例えば、「白セブン当選フラグ」が設定されて「白セブン当選役」の入賞が可能になったこと、つまり「ＲＢ」への移行が可能になったことを「特典の付与」としてもよい。また、当選抽選手段130の抽選結果に関する情報を報知する遊技、所謂「アシストタイム」を有するスロットマシンとした場合に、この「アシストタイム」への移行が可能になったことを「特典の付与」としてもよい。また、例えば、当選抽選手段130において再遊技に関する当選役（リプレイ当選役）の当選確率が他の遊技よりも高くなる遊技、所謂「リプレイタイム」を有するスロットマシンとした場合に、この「リプレイタイム」への移行が可能になったことを「特典の付与」としてもよい。
【０１２１】
また、上述した実施の形態では、通常遊技中に当選抽選手段130の抽選で「スイカ当選役」に当選したことを契機に、フリーズ抽選を行うようになっているが、本発明のフリーズ抽選を行う契機は、これらに限定されるものでない。例えば、図１２のステップ２０５において、ＲＡＭの所定領域に「赤セブン当選フラグ」を有するか否かの判断を行うように形成して、「赤セブン当選フラグ」が次のゲームに持ち越されたことを契機に、フリーズ抽選を行うようにしてもよい。
また、上述した実施の形態では、禁止期間中に実行する全てのゲームにおいてフリーズ連想演出を行うようになっているが、禁止期間の各ゲームについて更にフリーズ連想演出を行うか否かの抽選を行い、この抽選に当選したゲームにおいてはフリーズ連想演出を行い、この抽選にハズレたゲームにおいてはフリーズ連想演出を行わないようにしてもよい。この場合のフリーズ連想演出は、１ゲームで物語の結末をつける演出（以下「短編演出」という。）を実行することが望ましい。そして、禁止期間中のゲームにおいて、高確率で「短編演出」を実行するようにし、さらにその他のゲームにおいて、低確率で「短編演出」を実行するように形成する。これにより、禁止期間中に頻繁に「短編演出」を実行した場合に、遊技者に「フリーズ」及び「フリーズ演出」の実行を期待させることができる。
【０１２２】
また、第１の実施の形態では、フリーズ抽選の抽選結果に応じて、実行する連続演出を抽選で決定するようになっており、第２の実施の形態では、フリーズ抽選の抽選結果などに応じて、予め設定された連続演出を実行するようになっているが、これらを組み合わせても良い。具体的には、フリーズ連想演出、フリーズ演出及び特典連想演出の中の一部については、フリーズ抽選の抽選結果などに応じて実行する演出を予め設定しておき、残りについては、実行する演出をフリーズ抽選の抽選結果に応じて抽選で決定するようにしてもよい。
また、第１の実施の形態では、フリーズとして、各回転リール23の回転の開始を通常よりも所定時間遅らせるようになっているが、スタートスイッチ53の操作の受け付けの開始を通常よりも遅らせるようにしてもよい。具体的には、上述した実施の形態では、図１１のステップ１０５の当選抽選処理の後に回転開始前処理を行い、ステップ１０６に移行するようになっているが、例えば、ステップ１０２の再遊技ベット処理の後、またはステップ１０３のベット処理の後に回転開始前処理を行い、ステップ１０４に移行するように形成する。また、ステップ１０５の当選抽選処理で「スイカ当選役」に当選した場合に、その旨を少なくとも次のゲームの回転開始前処理まで記憶するように形成する。また、回転開始前処理については、図１２のステップ２０５において、直前のゲームで「スイカ当選役」に当選したか否かの判断を行うようにする。そして、直前のゲームで「スイカ当選役」に当選したと判断した場合には、ステップ２０６に進み、直前のゲームで「スイカ当選役」に当選しなかったと判断した場合には、ステップ２１１に進むようにする。そして、ステップ２１３において、スタートスイッチの操作の受け付けの開始を示す「スタート受付開始信号」を送信するようにする。また、連続演出実行処理については、図１６のステップ６０８において、受信した信号が「スタート受付開始信号」であるか否かの判断を行うようにする。そして、「スタート受付開始信号」であると判断した場合には、ステップ６０９に進み、「スタート受付開始信号」でないと判断した場合には、連続演出実行処理を終了するように形成する。
【０１２３】
また、フリーズとして、遊技媒体のベットの受け付けの開始を通常よりも所定時間遅らせるようにしてもよい。具体的には、上述した実施の形態では、図１１のステップ１０５の当選抽選処理の後に回転開始前処理を行い、ステップ１０６に移行するようになっているが、例えば、最初に回転開始前処理を行い、ステップ１０１に移行するように形成する。また、ステップ１０５の当選抽選処理で「スイカ当選役」に当選した場合に、その旨を少なくとも次のゲームの回転開始前処理まで記憶するように形成する。また、回転開始前処理については、図１２のステップ２０５において、直前のゲームで「スイカ当選役」に当選したか否かの判断を行うようにする。そして、直前のゲームで「スイカ当選役」に当選したと判断した場合には、ステップ２０６に進み、直前のゲームで「スイカ当選役」に当選しなかったと判断した場合には、ステップ２１１に進むようにする。そして、ステップ２１３において、メダルのベットの受け付けの開始を示す「ベット受付開始信号」を送信するようにする。また、連続演出実行処理については、図１６のステップ６０８において、受信した信号が「ベット受付開始信号」であるか否かの判断を行うようにする。そして、「ベット受付開始信号」であると判断した場合には、ステップ６０９に進み、「ベット受付開始信号」でないと判断した場合には、連続演出実行処理を終了するように形成する。
【０１２４】
なお、本発明は、上述した実施の形態と他の実施の形態とを適宜組み合わせる、または組み替えることもできる。
【符号の説明】
【０１２５】
S  スロットマシン                    23  回転リール
53  スタートスイッチ                  54  ストップスイッチ
100 遊技制御装置                      200 フリーズ抽選手段
200 フリーズ実行手段                  220 ゲーム更新手段
300 演出制御装置                      360 連続演出抽選手段
370 連続演出実行手段
【図１】
0005643929.tif 000002
【図２】
0005643929.tif 000003
【図３】
0005643929.tif 000004
【図４】
0005643929.tif 000005
【図５】
0005643929.tif 000006
【図６】
0005643929.tif 000007
【図７】
0005643929.tif 000008
【図８】
0005643929.tif 000009
【図９】
0005643929.tif 000010
【図１０】
0005643929.tif 000011
【図１１】
0005643929.tif 000012
【図１２】
0005643929.tif 000013
【図１３】
0005643929.tif 000014
【図１４】
0005643929.tif 000015
【図１５】
0005643929.tif 000016
【図１６】
0005643929.tif 000017
【図１７】
0005643929.tif 000018
【図１８】
0005643929.tif 000019
【図１９】
0005643929.tif 000020
【図２０】
0005643929.tif 000021
【図２１】
0005643929.tif 000022
【図２２】
0005643929.tif 000023
【図２３】
0005643929.tif 000024
【図２４】
0005643929.tif 000025